(57)【要約】【課題】プラントに関する情報を迅速に、かつ、分かりやすく提供することができる。【解決手段】本発明のプラント情報提供装置においては、プラントデータ取得部５１は、プラントに関するデータであるプラントデータを取得し、状態判定部５２は、パラメータを識別するためのパラメータコードと、パラメータに関する所定の基準値が予め対応付けられて登録されている状態判定テーブルを参照して、プラントデータに基づいてプラントの状態を判定し、変換部５８は、状態判定結果と、プラントの状態を示す状態指示情報が予め対応付けられて登録されている日本語変換テーブルを参照して、状態判定結果を日本語の文字列に変換し、プラント画面作成部５７は、予め記憶されている、プラントの状態を示すプラント画面に関する情報であるプラント画面情報と、日本語の文字列に変換後の状態判定結果に基づいて、プラント画面を作成し、出力部は、作成されたプラント画面を表示する。【選択図】  図３
2007328608.tif 000002
【特許請求の範囲】
【請求項１】
プラントに関するデータであるプラントデータを取得するプラントデータ取得手段と、
パラメータを識別するためのパラメータコードと、前記パラメータに関する所定の基準値が予め対応付けられて登録されている状態判定テーブルを参照して、前記プラントデータに基づいて前記プラントの状態を判定する状態判定手段と、
前記状態判定手段による状態判定結果と、前記プラントの状態を示す状態指示情報が予め対応付けられて登録されている状態判定結果変換テーブルを参照して、前記状態判定手段による状態判定結果を前記状態指示情報に変換する状態判定結果変換手段と、
予め記憶されている、前記プラントの状態を示すプラント画面に関する情報であるプラント画面情報と、前記状態判定結果変換手段により変換された前記状態指示情報に基づいて、前記プラント画面を作成するプラント画面作成手段と、
前記プラント画面作成手段により作成された前記プラント画面を表示する表示手段とを備えたことを特徴とするプラント情報提供装置。
【請求項２】
前記プラント画面の選択に関するデータを取得するプラント画面選択データ取得手段と、
前記プラント画面選択データ取得手段により取得された前記プラント画面の選択に関するデータに基づいて、複数の前記プラント画面の中から１つの前記プラント画面を選択するプラント画面選択手段とをさらに備え、
前記状態判定結果変換手段は、前記状態判定手段による状態判定結果のうち、前記プラント画面選択手段により選択された前記プラント画面に予め対応付けられた状態判定結果を前記状態指示情報に変換し、
前記プラント画面作成手段は、前記プラント画面選択手段により選択された前記プラント画面を作成する請求項１に記載のプラント情報提供装置。
【請求項３】
予め記憶されている、前記状態判定手段により前記プラントの状態が判定されるときの状態判定条件を示す状態判定条件画面に関する情報である状態判定条件画面情報と、前記状態判定手段による状態判定結果に基づいて、前記状態判定条件画面を作成する状態判定条件画面作成手段をさらに備え、
前記表示手段は、前記状態判定条件画面作成手段により作成された前記状態判定条件画面をさらに表示することを特徴とする請求項１に記載のプラント情報提供装置。
【請求項４】
前記状態判定条件画面の選択に関するデータを取得する状態判定条件画面選択データ取得手段と、
前記状態判定条件画面データ取得手段により取得された前記状態判定条件画面の選択に関するデータに基づいて、複数の前記状態判定条件画面の中から１つの前記状態判定条件画面を選択する状態判定条件画面選択手段とをさらに備え、
前記状態判定条件画面作成手段は、前記状態判定条件画面選択手段により選択された前記状態判定条件画面を作成することを特徴とする請求項５に記載のプラント情報提供装置。
【請求項５】
前記プラントの状態は、前記プラントを構成する各機器の状態、または、前記プラントの機能の状態であることを特徴とする請求項１に記載のプラント情報提供装置。
【請求項６】
プラントに関するデータであるプラントデータを取得するプラントデータ取得ステップと、
パラメータを識別するためのパラメータコードと、前記パラメータに関する所定の基準値が予め対応付けられて登録されている状態判定テーブルを参照して、前記プラントデータに基づいて前記プラントの状態を判定する状態判定ステップと、
前記状態判定ステップの処理による状態判定結果と、前記プラントの状態を示す状態指示情報が予め対応付けられて登録されている状態判定結果変換テーブルを参照して、前記状態判定手段による状態判定結果を前記状態指示情報に変換する状態判定結果変換ステップと、
予め記憶されている、前記プラントの状態を示すプラント画面に関する情報であるプラント画面情報と、前記状態判定結果変換ステップの処理により変換された前記状態指示情報に基づいて、前記プラント画面を作成するプラント画面作成ステップと、
前記プラント画面作成ステップの処理により作成された前記プラント画面を表示する表示ステップを含むことを特徴とするプラント情報提供方法。
【請求項７】
プラントに関するデータであるプラントデータを取得するプラントデータ取得手段と、
前記プラントデータ取得手段により取得された前記プラントデータを時系列的に記憶する記憶手段と、
パラメータを識別するためのパラメータコードと、前記パラメータに関する所定の基準値が予め対応付けられて登録されている傾向判定テーブルを参照して、前記記憶手段により時系列的に記憶された複数の前記プラントデータに基づいて前記プラントの傾向を判定する傾向判定手段と、
前記傾向判定手段による傾向判定結果と、前記プラントの傾向を示す傾向指示情報が予め対応付けられた傾向判定結果変換テーブルを参照して、前記傾向判定手段による傾向判定結果を前記傾向指示情報に変換する傾向判定結果変換手段と、
予め記憶されている、前記プラントの傾向を示すプラント画面に関する情報であるプラント画面情報と、前記傾向判定結果変換手段により変換された前記傾向指示情報に基づいて、前記プラント画面を作成するプラント画面作成手段と、
前記プラント画面作成手段により作成された前記プラント画面を表示する表示手段とを備えることを特徴とするプラント情報提供装置。
【請求項８】
前記プラント画面の選択に関するデータを取得するプラント画面選択データ取得手段と、
前記プラント画面選択データ取得手段により取得された前記プラント画面の選択に関するデータに基づいて、複数の前記プラント画面の中から１つの前記プラント画面を選択するプラント画面選択手段とをさらに備え、
前記傾向判定結果変換手段は、前記傾向判定手段による傾向判定結果のうち、前記プラント画面選択手段により選択された前記プラント画面に予め対応付けられた傾向判定結果を前記指示情報に変換し、
前記プラント画面作成手段は、前記プラント画面選択手段により選択された前記プラント画面を作成する請求項７に記載のプラント情報提供装置。
【請求項９】
予め記憶されている、前記傾向判定手段により前記プラントの傾向が判定されるときの傾向判定条件を示す傾向判定条件画面に関する情報と、前記傾向判定手段による傾向判定結果、および、前記記憶手段に記憶されている時系列的なプラントデータに基づいて、前記傾向判定条件画面を作成する傾向判定条件画面作成手段をさらに備え、
前記表示手段は、前記傾向判定条件画面作成手段により作成された前記傾向判定条件画面をさらに表示することを特徴とする請求項７に記載のプラント情報提供装置。
【請求項１０】
前記傾向判定条件作成手段により作成された前記傾向判定条件画面には、前記記憶手段に記憶されている時系列的なプラントデータに基づくグラフが含まれることを特徴とする請求項９に記載のプラント情報提供装置。
【請求項１１】
前記傾向判定条件画面に含まれるグラフには、前記プラントデータに含まれる前記パラメータに関するデータ値に応じて、異なる色調の背景が用いられることを特徴とする請求項１０に記載のプラント情報提供装置。
【請求項１２】
前記傾向判定条件画面に含まれるグラフには、前記プラントデータに含まれる前記パラメータに関するデータ値に応じて、異なる線の種類または線の色調が用いられることを特徴とする請求項１０に記載のプラント情報提供装置。
【請求項１３】
前記傾向判定条件画面の選択に関するデータを取得する傾向判定条件画面選択データ取得手段と、
前記傾向判定条件画面選択データ取得手段により取得された前記傾向判定条件画面の選択に関するデータに基づいて、複数の前記傾向判定条件画面の中から１つの前記傾向判定条件画面を選択する傾向判定条件画面選択手段とをさらに備え、
前記傾向判定条件画面作成手段は、前記傾向判定条件画面選択手段により選択された前記傾向判定条件画面を作成することを特徴とする請求項９に記載のプラント情報提供装置。
【請求項１４】
前記プラントの傾向は、前記プラントを構成する各機器の傾向、または、前記プラントの機能の傾向であることを特徴とする請求項７に記載のプラント情報提供装置。
【請求項１５】
プラントに関するデータであるプラントデータを取得するプラントデータ取得ステップと、
前記プラントデータ取得手段により取得された前記プラントデータを時系列的に記憶する記憶ステップと、
パラメータを識別するためのパラメータコードと、前記パラメータに関する所定の基準値が予め対応付けられて登録されている傾向判定テーブルを参照して、前記記憶ステップの処理により時系列的に記憶された複数の前記プラントデータに基づいて前記プラントの傾向を判定する傾向判定ステップと、
前記傾向判定ステップの処理による傾向判定結果と、前記プラントの傾向を示す傾向指示情報が予め対応付けられた傾向判定結果変換テーブルを参照して、前記傾向判定ステップの処理による傾向判定結果を前記傾向指示情報に変換する傾向判定結果変換ステップと、
予め記憶されている、前記プラントの傾向を示すプラント画面に関する情報であるプラント画面情報と、前記傾向判定結果変換ステップの処理により変換された前記傾向指示情報に基づいて、前記プラント画面を作成するプラント画面作成ステップと、
前記プラント画面作成ステップの処理により作成された前記プラント画面を表示する表示ステップとを含むことを特徴とするプラント情報提供方法。
【請求項１６】
プラントに関するデータであるプラントデータを取得するプラントデータ取得手段と、
前記プラントデータ取得手段により取得された前記プラントデータを時系列的に記憶する記憶手段と、
パラメータを識別するためのパラメータコードと、前記パラメータに関する所定の基準値が予め対応付けられて登録されている状態判定テーブルを参照して、前記記憶手段により時系列的に記憶された複数の前記プラントデータのうち、最新の前記プラントデータに基づいて前記プラントの状態を判定する状態判定手段と、
前記パラメータコードと、前記パラメータに関する所定の基準値が予め対応付けられて登録されている傾向判定テーブルを参照して、前記記憶手段により時系列的に記憶された複数の前記プラントデータに基づいて前記プラントの傾向を判定する傾向判定手段と、
前記状態判定手段による状態判定結果と、前記傾向判定手段による傾向判定結果に基づいて、前記プラントの機能に関する事象の進展レベルと進展方向を判定する事象進展判定手段と、
予め記憶されている、前記プラントの事象進展を示すプラント画面に関する情報であるプラント画面情報、および前記事象進展判定手段による事象進展判定結果に基づいて、前記プラント画面を作成するプラント画面作成手段と、
前記プラント画面作成手段により作成された前記プラント画面を表示する表示手段とを備えることを特徴とするプラント情報提供装置。
【請求項１７】
前記プラント情報提供装置は、
前記状態判定手段による状態判定結果と、前記プラントの状態を示す状態指示情報が予め対応付けられて登録されている状態判定結果変換テーブルを参照して、前記状態判定手段による状態判定結果を前記状態指示情報に変換する状態判定結果変換手段と、
前記傾向判定手段による傾向判定結果と、前記プラントの傾向を示す傾向指示情報が予め対応付けられた傾向判定結果変換テーブルを参照して、前記傾向判定手段による傾向判定結果を前記傾向指示情報に変換する傾向判定結果変換手段とをさらに備え、
前記プラント画面情報には、前記プラントの状態および傾向を示すプラント画面に関する情報が含まれ、
前記プラント画面作成手段は、前記プラントの状態および傾向を示すプラント画面に関する情報を含むプラント画面情報、前記状態判定結果変換手段により変換された前記状態指示情報または前記傾向変換手段により変換された前記傾向指示情報に基づいて、前記プラント画面を作成することを特徴とする請求項１６に記載のプラント情報提供装置。
【請求項１８】
前記プラント画面の選択に関するデータを取得するプラント画面選択データ取得手段と、
前記プラント画面選択データ取得手段により取得された前記プラント画面の選択に関するデータに基づいて、複数の前記プラント画面の中から１つの前記プラント画面を選択するプラント画面選択手段とをさらに備え、
前記状態判定結果変換手段は、前記状態判定手段による状態判定結果のうち、前記プラント画面選択手段により選択された前記プラント画面に予め対応付けられた状態判定結果を前記状態指示情報に変換し、
前記傾向判定結果変換手段は、前記傾向判定手段による傾向判定結果のうち、前記プラント画面選択手段により選択された前記プラント画面に予め対応付けられた傾向判定結果を前記指示情報に変換し、
前記プラント画面作成手段は、前記プラント画面選択手段により選択された前記プラント画面を作成する請求項１７に記載のプラント情報提供装置。
【請求項１９】
予め記憶されている、前記状態判定手段により前記プラントの状態が判定されるときの状態判定条件を示す状態判定条件画面に関する情報である状態判定条件画面情報と、前記状態判定手段による状態判定結果に基づいて、前記状態判定条件画面を作成する状態判定条件画面作成手段をさらに備え、
前記表示手段は、前記状態判定条件画面作成手段により作成された前記状態判定条件画面をさらに表示することを特徴とする請求項１７に記載のプラント情報提供装置。
【請求項２０】
予め記憶されている、前記傾向判定手段により前記プラントの傾向が判定されるときの傾向判定条件を示す傾向判定条件画面に関する情報である傾向判定条件画面情報と、前記傾向判定手段による傾向判定結果に基づいて、前記傾向判定条件画面を作成する傾向判定条件画面作成手段をさらに備え、
前記表示手段は、前記傾向判定条件画面作成手段により作成された前記傾向判定条件画面をさらに表示することを特徴とする請求項１７に記載のプラント情報提供装置。
【請求項２１】
プラントに関するデータであるプラントデータを取得するプラントデータ取得ステップと、
前記プラントデータ取得手段により取得された前記プラントデータを時系列的に記憶する記憶ステップと、
パラメータを識別するためのパラメータコードと、前記パラメータに関する所定の基準値が予め対応付けられて登録されている状態判定テーブルを参照して、前記記憶ステップの処理により時系列的に記憶された複数の前記プラントデータのうち、最新の前記プラントデータに基づいて前記プラントの状態を判定する状態判定ステップと、
前記パラメータコードと、前記パラメータに関する所定の基準値が予め対応付けられて登録されている傾向判定テーブルを参照して、前記記憶手段により時系列的に記憶された複数の前記プラントデータに基づいて前記プラントの傾向を判定する傾向判定ステップと、
前記状態判定ステップの処理による状態判定結果と、前記傾向判定ステップの処理による傾向判定結果に基づいて、前記プラントの機能に関する事象の進展レベルと進展方向を判定する事象進展判定ステップと、
予め記憶されている、前記プラントの事象進展を示すプラント画面に関する情報であるプラント画面情報、および前記事象進展判定手段による事象進展判定結果に基づいて、前記プラント画面を作成するプラント画面作成ステップと、
前記プラント画面作成ステップの処理により作成された前記プラント画面を表示する表示ステップとを含むことを特徴とするプラント情報提供方法。
【請求項２２】
前記プラントデータは、少なくとも、前記プラントを識別するためのコードであるプラントコード、前記プラント情報処理装置に送信した時刻または前記プラントデータが記録された時刻に関する時刻情報、複数の前記パラメータコードと前記パラメータに関するデータ値からなることを特徴とする請求項１、７、または１６に記載のプラント情報提供装置。
【請求項２３】
前記状態指示情報または傾向指示情報には、少なくとも、日本語の文字列、アイコン、またはグラフのいずれか１つからなることを特徴とする請求項１、７、または１７に記載のプラント情報提供装置。
【請求項２４】
前記プラントデータ取得手段は、前記プラントから電波、または有線や無線のネットワークを介して、または、前記プラント情報提供装置とネットワークを介して接続された情報処理装置から前記プラントデータを取得することを特徴とする請求項１、７、または１６に記載のプラント情報提供装置。
【発明の詳細な説明】
【技術分野】
【０００１】
本発明はプラント情報提供装置およびそのプラント情報提供方法に係り、特に、プラントに関する情報を提供することができるようにしたプラント情報提供装置およびそのプラント情報提供方法に関する。
【背景技術】
【０００２】
近年、原子力プラントや化学プラントなどにおいては、現在の運転状況などのプラントに関する情報をリアルタイムで公開し、トラブルなどが発生した場合、国や自治体などに直ちに通報連絡するとともに、テレビなどの報道機関を通じて一般の人々に公表する「いわゆるプラント情報公開」が行われている。
【０００３】
特に、原子力プラントでは、何らかのトラブルが発生した場合、原子力プラントの現在の状態がどのようになっているか、また、外部に漏洩する放射線量などがどの程度の量であるのかなどについて社会的な関心事であるため、例えば化学プラントなどの他のプラントに比べて、より的確な状況説明とプラントに関する情報公開が求められる。
【０００４】
そのため、原子力プラントを含めた種々のプラントの運転や監視において、プラントに関する情報をリアルタイムで提供するプラント情報提供装置が用いられており、最近では、プラント情報提供装置に関する種々の技術が確立されてきている（例えば、特許文献１乃至特許文献２参照）。
【０００５】
特許文献１に提案されている技術によれば、表示対話装置からの対話要求により全機能メニューを表示し、認識された機能およびグループＮＯ．情報を受け付け、該当する個別機能処理手段を検索することができる。また、プラント系統分類メニューを表示し、認識された系統および機能情報を受け付け、表示要求がなされた機能内グループＮＯ．を検索し、機能およびグループＮＯ．情報を個別機能処理手段に通知することができる。さらに、該当する個別機能処理手段において、この通知により表示データを生成し、生成された表示データを受け取り表示対話装置に出力することができる。
【０００６】
これにより、プラントの監視状態を各種の表示機能に従って画面上に表示させる場合における操作性を向上させることができる。
【０００７】
また、特許文献２に提案されている技術によれば、警報窓度ごとに重要度を示す警報窓ランク情報テーブルを有し、警報窓ランク情報テーブルに対して警報窓ランク情報テーブルに基づく警報窓ランク情報を通知し、警報窓画面データの表示内容を、発生した警報状態対応の警報窓ランクに変更してそれぞれの重要度に応じた警報画面表示することができる。これにより、対応する警報窓ごとに発生情報の重要度に応じて区分した自動表示を行うことができる。
【特許文献１】特開２００１−３３１２１５号公報
【特許文献２】特開２００１−１１７６３０号公報
【発明の開示】
【発明が解決しようとする課題】
【０００８】
しかしながら、特許文献１および２に提案されている技術では、プラント情報提供装置の画面に表示される内容が、原子力プラントや化学プラントなどの専門家や技術者など（いわゆるプラントに関して熟知した者）を対象に予め作成されている。
【０００９】
具体的には、プラント情報提供装置の画面に表示される内容として、例えばプラントの系統図の画面上に数値を表示する形や数値をグラフ化して表示する形式や、プラントの機器の状態を一覧で表す形式（例えば、特許文献１参照）、警報窓表示形式（例えば、特許文献２参照）などが提案されており、いずれもプラントに関して熟知した者を対象とした形式となっている。
【００１０】
そのため、プラント情報公開に基づいて一般の人々に公表されたとしても、一般の人々は、プラント情報提供装置の画面に表示される数値や機器の全体における役割などに関する知識が乏しいことから、画面に表示される内容からプラントの現在の状態などを正確に理解することが困難であるという課題があった。
【００１１】
また、プラントに関する情報を提供する側の電力会社などは、プラント情報公開の趣旨に鑑みて、プラント情報提供装置を用いたプラントに関する情報の提供以外にも、例えば一般の人々に説明するための新たな資料を作成するようにしているが、一般の人々に説明するための新たな資料の作成には多少なりとも時間を要するため、プラントに関する情報を迅速に提供することが困難であるという課題があった。
【００１２】
本発明は、このような状況に鑑みてなされたものであり、プラントに関する情報を迅速に、かつ、分かりやすく提供することができるプラント情報提供装置およびそのプラント情報提供方法を提供することを目的とする。
【課題を解決するための手段】
【００１３】
本発明のプラント情報提供装置は、上述した課題を解決するために、プラントに関するデータであるプラントデータを取得するプラントデータ取得手段と、パラメータを識別するためのパラメータコードと、パラメータに関する所定の基準値が予め対応付けられて登録されている状態判定テーブルを参照して、プラントデータに基づいてプラントの状態を判定する状態判定手段と、状態判定手段による状態判定結果と、プラントの状態を示す状態指示情報が予め対応付けられて登録されている状態判定結果変換テーブルを参照して、状態判定手段による状態判定結果を状態指示情報に変換する状態判定結果変換手段と、予め記憶されている、プラントの状態を示すプラント画面に関する情報であるプラント画面情報と、状態判定結果変換手段により変換された状態指示情報に基づいて、プラント画面を作成するプラント画面作成手段と、プラント画面作成手段により作成されたプラント画面を表示する表示手段とを備えることを特徴とする。
【００１４】
本発明のプラント情報提供方法は、上述した課題を解決するために、プラントに関するデータであるプラントデータを取得するプラントデータ取得ステップと、パラメータを識別するためのパラメータコードと、パラメータに関する所定の基準値が予め対応付けられて登録されている状態判定テーブルを参照して、プラントデータに基づいてプラントの状態を判定する状態判定ステップと、状態判定ステップの処理による状態判定結果と、プラントの状態を示す状態指示情報が予め対応付けられて登録されている状態判定結果変換テーブルを参照して、状態判定手段による状態判定結果を状態指示情報に変換する状態判定結果変換ステップと、予め記憶されている、プラントの状態を示すプラント画面に関する情報であるプラント画面情報と、状態判定結果変換ステップの処理により変換された状態指示情報に基づいて、プラント画面を作成するプラント画面作成ステップと、プラント画面作成ステップの処理により作成されたプラント画面を表示する表示ステップを含むことを特徴とする。
【００１５】
本発明のプラント情報提供装置は、上述した課題を解決するために、プラントに関するデータであるプラントデータを取得するプラントデータ取得手段と、プラントデータ取得手段により取得されたプラントデータを時系列的に記憶する記憶手段と、パラメータを識別するためのパラメータコードと、パラメータに関する所定の基準値が予め対応付けられて登録されている傾向判定テーブルを参照して、記憶手段により時系列的に記憶された複数のプラントデータに基づいてプラントの傾向を判定する傾向判定手段と、傾向判定手段による傾向判定結果と、プラントの傾向を示す傾向指示情報が予め対応付けられた傾向判定結果変換テーブルを参照して、傾向判定手段による傾向判定結果を傾向指示情報に変換する傾向判定結果変換手段と、予め記憶されている、プラントの傾向を示すプラント画面に関する情報であるプラント画面情報と、傾向判定結果変換手段により変換された傾向指示情報に基づいて、プラント画面を作成するプラント画面作成手段と、プラント画面作成手段により作成されたプラント画面を表示する表示手段とを備えることを特徴とする。
【００１６】
本発明のプラント情報提供方法は、上述した課題を解決するために、プラントに関するデータであるプラントデータを取得するプラントデータ取得ステップと、プラントデータ取得手段により取得されたプラントデータを時系列的に記憶する記憶ステップと、パラメータを識別するためのパラメータコードと、パラメータに関する所定の基準値が予め対応付けられて登録されている傾向判定テーブルを参照して、記憶ステップの処理により時系列的に記憶された複数のプラントデータに基づいてプラントの傾向を判定する傾向判定ステップと、傾向判定ステップの処理による傾向判定結果と、プラントの傾向を示す傾向指示情報が予め対応付けられた傾向判定結果変換テーブルを参照して、傾向判定ステップの処理による傾向判定結果を傾向指示情報に変換する傾向判定結果変換ステップと、予め記憶されている、プラントの傾向を示すプラント画面に関する情報であるプラント画面情報と、傾向判定結果変換ステップの処理により変換された傾向指示情報に基づいて、プラント画面を作成するプラント画面作成ステップと、プラント画面作成ステップの処理により作成されたプラント画面を表示する表示ステップとを含むことを特徴とする。
【００１７】
本発明のプラント情報提供装置は、上述した課題を解決するために、プラントに関するデータであるプラントデータを取得するプラントデータ取得手段と、プラントデータ取得手段により取得されたプラントデータを時系列的に記憶する記憶手段と、パラメータを識別するためのパラメータコードと、パラメータに関する所定の基準値が予め対応付けられて登録されている状態判定テーブルを参照して、記憶手段により時系列的に記憶された複数のプラントデータのうち、最新のプラントデータに基づいてプラントの状態を判定する状態判定手段と、パラメータコードと、パラメータに関する所定の基準値が予め対応付けられて登録されている傾向判定テーブルを参照して、記憶手段により時系列的に記憶された複数のプラントデータに基づいてプラントの傾向を判定する傾向判定手段と、状態判定手段による状態判定結果と、傾向判定手段による傾向判定結果に基づいて、プラントの機能に関する事象の進展レベルと進展方向を判定する事象進展判定手段と、予め記憶されている、プラントの事象進展を示すプラント画面に関する情報であるプラント画面情報、および事象進展判定手段による事象進展判定結果に基づいて、プラント画面を作成するプラント画面作成手段と、プラント画面作成手段により作成されたプラント画面を表示する表示手段とを備えることを特徴とする。
【００１８】
本発明のプラント情報提供方法は、上述した課題を解決するために、プラントに関するデータであるプラントデータを取得するプラントデータ取得ステップと、プラントデータ取得手段により取得されたプラントデータを時系列的に記憶する記憶ステップと、パラメータを識別するためのパラメータコードと、パラメータに関する所定の基準値が予め対応付けられて登録されている状態判定テーブルを参照して、記憶ステップの処理により時系列的に記憶された複数のプラントデータのうち、最新のプラントデータに基づいてプラントの状態を判定する状態判定ステップと、パラメータコードと、パラメータに関する所定の基準値が予め対応付けられて登録されている傾向判定テーブルを参照して、記憶手段により時系列的に記憶された複数のプラントデータに基づいてプラントの傾向を判定する傾向判定ステップと、状態判定ステップの処理による状態判定結果と、傾向判定ステップの処理による傾向判定結果に基づいて、プラントの機能に関する事象の進展レベルと進展方向を判定する事象進展判定ステップと、予め記憶されている、プラントの事象進展を示すプラント画面に関する情報であるプラント画面情報、および事象進展判定手段による事象進展判定結果に基づいて、プラント画面を作成するプラント画面作成ステップと、プラント画面作成ステップの処理により作成されたプラント画面を表示する表示ステップとを含むことを特徴とする。
【００１９】
本発明のプラント情報提供装置およびそのプラント情報提供方法においては、プラントに関するデータであるプラントデータが取得され、パラメータを識別するためのパラメータコードと、パラメータに関する所定の基準値が予め対応付けられて登録されている状態判定テーブルを参照して、プラントデータに基づいてプラントの状態が判定され、状態判定結果と、プラントの状態を示す状態指示情報が予め対応付けられて登録されている状態判定結果変換テーブルを参照して、状態判定結果が状態指示情報に変換され、予め記憶されている、プラントの状態を示すプラント画面に関する情報であるプラント画面情報と、変換された状態指示情報に基づいてプラント画面が作成され、作成されたプラント画面が表示される。
【００２０】
本発明のプラント情報提供装置およびそのプラント情報提供方法においては、プラントに関するデータであるプラントデータが取得され、取得されたプラントデータが時系列的に記憶され、パラメータを識別するためのパラメータコードと、パラメータに関する所定の基準値が予め対応付けられて登録されている傾向判定テーブルを参照して、時系列的に記憶された複数のプラントデータに基づいてプラントの傾向が判定され、傾向判定結果と、プラントの傾向を示す傾向指示情報が予め対応付けられた傾向判定結果変換テーブルを参照して、傾向判定結果が傾向指示情報に変換され、予め記憶されている、プラントの傾向を示すプラント画面に関する情報であるプラント画面情報と、変換された傾向指示情報に基づいてプラント画面が作成され、作成されたプラント画面が表示される。
【００２１】
本発明のプラント情報提供装置およびそのプラント情報提供方法においては、プラントに関するデータであるプラントデータが取得され、取得されたプラントデータが時系列的に記憶され、パラメータを識別するためのパラメータコードと、パラメータに関する所定の基準値が予め対応付けられて登録されている状態判定テーブルを参照して、時系列的に記憶された複数のプラントデータのうち、最新のプラントデータに基づいてプラントの状態が判定され、パラメータコードと、パラメータに関する所定の基準値が予め対応付けられて登録されている傾向判定テーブルを参照して、時系列的に記憶された複数のプラントデータに基づいてプラントの傾向が判定され、状態判定結果と傾向判定結果に基づいて、プラントの機能に関する事象の進展レベルと進展方向が判定され、予め記憶されている、プラントの事象進展を示すプラント画面に関する情報であるプラント画面情報、および事象進展判定結果に基づいて、プラント画面が作成され、作成されたプラント画面が表示される。
【発明の効果】
【００２２】
本発明によれば、プラントに関する情報を迅速に、かつ、分かりやすく提供することができる。
【発明を実施するための最良の形態】
【００２３】
本発明の実施の形態について、図面を参照しながら説明する。
【００２４】
［第１の実施形態］
図１は、本発明を適用したプラント情報提供システム１の第１の実施形態における概念的構成を表している。
【００２５】
図１に示されるように、プラント情報提供システム１は、プラントに関する情報をユーザ（例えば、専門家、技術者、および一般の人々など）に提供するプラント情報提供装置１１と、プラント情報提供装置１１に何らかの伝送経路を介して、例えば無線（放送電波など）やネットワーク１２（例えば、インターネット、有線または無線のＬＡＮ（Local Area Network）、ＷＡＮ（Wide Area Network）その他の各種のネットワークを含む）などを介してプラントに関するデータであるプラントデータを送信または供給するプラント１３−１乃至１３−４により構成される。なお、プラント情報提供装置１１は、図示せぬ外部記録媒体（例えば、ＤＶＤ（Digital Versatile Disc）など）からプラントデータを取得するようにしてもよい。
【００２６】
プラントデータ受信部２１は、少なくとも１つ以上のプラント（例えば、プラント１３−２乃至１３−４）から何らかの伝送経路を介して送信されたプラントデータを受信し、受信されたプラントデータを状態判定部２３に供給する。
【００２７】
データ取得部２２は、少なくとも１つ以上のプラント（例えば、プラント１３−１）からネットワーク１２を介して、または図示せぬ外部記録媒体からプラントデータを取得し、取得されたプラントデータを状態判定部２３に供給する。
【００２８】
状態判定部２３は、プラントデータ受信部２１またはデータ取得部２２から供給されたプラントデータを取得し、予め記憶されている状態判定テーブル２４の内容を参照して、取得されたプラントデータに基づいてプラント１３−１乃至１３−４の現在の状態を判定し、状態判定結果２５に格納するとともに、画面表示部２６に通知する。
【００２９】
画面表示部２６は、状態判定結果２５の内容を例えば日本語変換テーブル２９の内容と照合し、プラント画面情報２８に格納されているプラントの特徴を表す簡易的な系統図上に、プラント（例えば、プラント１３−１乃至１３−４）の現在の状態を日本語の文字列で表示する。
【００３０】
状態判定テーブル２４、プラント画面情報２８、および日本語変換テーブル２９は、プラントデータを取得するプラント（例えば、プラント１３−１乃至１３−４）の数に応じて保有することができる。
【００３１】
画面選択部２７は、ユーザにより表示する要求があったプラント画面または状態判定条件画面を選択し、選択されたプラント画面または状態判定条件画面を画面表示部２６または状態判定条件表示部３１に通知する。
【００３２】
状態判定条件表示部３１は、状態判定条件画面情報３０に格納されている状態判定条件画面情報の内容を参照して、プラント（例えば、プラント１３−１乃至１３−４）の状態判定条件を表示する。
【００３３】
なお、図１の例の場合、説明を簡略化するために、プラント情報提供装置１１にプラントデータを送信または供給するプラントとして４つのプラント（プラント１３−１乃至１３−４）を明示的に記載したが、このような場合に限られず、本発明は、少なくとも１つ以上のプラントに適用することができる。また、プラント１３−１乃至１３−４は、以下において、それぞれを個々に区別する必要がない場合、プラント１３と総称する。
【００３４】
なお、本発明の実施形態においては、本発明を適用するプラント１３として原子力プラントに限定して説明するが、このような場合に限られず、例えば化学プラントなどの他のプラントにも適用することができる。
【００３５】
図２は、本発明に係るプラント情報提供装置１１の内部の機械的な構成を表している。
【００３６】
なお、図１の構成と対応するものについては、同一の符号を付してあり、その説明は繰り返しになるので省略する。
【００３７】
図２においては、ＣＰＵ（Central Processing Unit）３２は、ＲＯＭ（Read Only Memory）３３に記憶されているプログラムまたは記憶部３９からＲＡＭ（Random Access Memory）３４にロードされた各種のアプリケーションプログラムに従って各種の処理を実行するとともに、種々の制御信号を生成し、各部に供給することによりプラント情報提供装置１１を統括的に制御する。ＲＡＭ３４は、ＣＰＵ３２が各種の処理を実行する上において必要なデータなどを適宜記憶する。
【００３８】
ＣＰＵ３２、ＲＯＭ３３、およびＲＡＭ３４には、バス３５を介して相互に接続されている。このバス３５にはまた、入出力インタフェース３６が接続される。
【００３９】
入出力インタフェース３６には、キーボード、マウスなどからなる入力部３７、ＣＲＴ(Cathode Ray Tube)、ＬＣＤ(Liquid Crystal Display)などからなるディスプレイ、並びにスピーカなどからなる出力部３８、ハードディスクなどより構成される記憶部３９、モデム、ターミナルアダプタ、ネットワークインタフェース（いずれも図示せず）などからなる構成される通信部４０が接続される。
【００４０】
記憶部３９は、種々のアプリケーションプログラムなどを予め記憶し、適宜、アプリケーションプラグラムが実行されることにより生成された種々のデータを記憶する。
【００４１】
通信部４０は、ネットワーク１２を介してプラント１３との通信処理を行う。また、通信部４０は、図示せぬ内蔵アンテナを介して、プラント１３と無線（放送電波など）通信を行い、各種の情報を送受信する。
【００４２】
入出力インタフェース３６にはまた、必要に応じてドライブ４１が接続され、磁気ディスク４２（フロッピディスクを含む）、光ディスク４３（ＣＤ-ＲＯＭ(Compact Disk-Read Only Memory）、ＤＶＤ(Digital Versatile Disk)を含む)、光磁気ディスク４４(ＭＤ(Mini-Disk)を含む)、あるいは半導体メモリ４５などが適宜装着され、それから読み出されたアプリケーションプログラムが、必要に応じて記憶部３９にインストールされる。
【００４３】
図３は、本発明に係るプラント情報提供装置１１が実行することができる機能的な構成を表している。
【００４４】
プラントデータ取得部５１は、例えば無線（放送電波など）やネットワーク１２などを介した後通信部４０を介してプラント１３から供給されたプラント１３に関するデータであるプラントデータ、あるいは、ドライブ４１を介して磁気ディスク４２、光ディスク４３、光磁気ディスク４４、および半導体メモリ４５から供給されたプラント１３に関するデータであるプラントデータを取得し、取得されたプラントデータを状態判定部５２に供給する。
【００４５】
状態判定部５２は、プラントデータ取得部５２から供給されたプラントデータを取得するとともに、補助記憶部５３に予め記憶されている状態判定テーブル６２を読み出し、読み出された状態判定テーブル６２を参照して、取得されたプラントデータに基づいてプラント１３の現在の状態を判定する。状態判定部５２は、その状態判定結果を主記憶部５４に供給する。
【００４６】
なお、状態判定部５２においては、パラメータなどに応じて、プラント１３の現在の状態が複数判定される。そのため、状態判定結果プラント１３の現在の状態に関する状態判定結果には、パラメータなどに応じて複数の状態判定結果が存在する。
【００４７】
補助記憶部５３は、例えば図２の記憶部３９などで構成されており、状態判定テーブル６２と日本語変換テーブル６３を記憶するとともに、プラント画面情報記憶部６４と状態判定条件画面記憶部６５を有する。
【００４８】
状態判定テーブル６２は、状態判定結果を識別するための番号である状態判定番号、プラント１３の状態を把握するのに必要なパラメータを識別するためのコードであるパラメータコードと、パラメータコードにより識別されるパラメータに関する所定の基準値（設定値）が予め対応付けられて登録されている。
【００４９】
日本語変換テーブル６３は、状態判定結果を識別するための番号である状態判定番号、プラント１３の状態を示す状態判定結果と、プラント１３の状態を示す状態判定結果を変換する日本語の文字列が予め対応付けられて登録されている。
【００５０】
プラント画面情報記憶部６４は、プラント１３の現在の状態などを表示する際に同時に表示される複数のプラント画面に関する画面情報（プラント画面情報）を予め記憶している。プラント画面情報には、例えば、プラント１３の特徴を表す簡易的な系統図に関する画面情報（例えば、原子力プラントであるプラント１３の「止める」、「冷やす」、「閉じ込める」などの機能ごとの画面情報）や、表示されるプラント画面上のどの位置にどの状態判定番号に対応する状態判定結果を表示するか否かに関する画面情報などが含まれる。
【００５１】
状態判定条件画面情報記憶部６５は、プラント１３の現在の状態などを表示する際に必要に応じて表示される状態判定条件画面に関する画面情報（状態判定条件画面情報）を予め記憶している。状態判定条件画面情報には、例えば、状態判定結果に対応した画面レイアウトに関する画面情報や、表示するパラメータに対応するパラメータコードとその表示位置に関する画面情報などが含まれる。
【００５２】
主記憶部５４は、状態判定部５２から供給された状態判定結果を取得し、取得された状態判定結果を適宜記憶する。主記憶部５４は、必要に応じて、記憶されている状態判定結果を各部に供給する。
【００５３】
入力データ取得部５５は、ユーザにより入力部３７に設けられたキーボードやマウスなどが操作されることにより入力された種々のデータを取得し、取得された種々のデータを各部に供給する。特に、入力データ取得部５５は、ユーザにより入力部３７に設けられたキーボードやマウスなどが操作されることにより入力されたプラント画面または状態判定条件画面の選択に関するデータを取得し、取得されたプラント画面または状態判定条件画面の選択に関するデータをプラント画面選択部５６または状態判定条件画面選択部５９に供給する。
【００５４】
プラント画面選択部５６は、入力データ取得部５５から供給されたプラント画面の選択に関するデータを取得し、取得されたプラント画面の選択に関するデータに基づいて、複数のプラント画面の中から、作成するプラント画面を選択し、選択されたプラント画面に関するデータであるプラント画面選択データをプラント画面作成部５７に供給する。
【００５５】
プラント画面作成部５７は、プラント画面選択部５６から供給されたプラント画面選択データを取得し、取得されたプラント画面選択データに基づいて選択されたプラント画面を認識するとともに、補助記憶部５３のプラント画面情報記憶部６４に予め記憶されている複数のプラント画面情報の中から、複数のプラント画面のうち選択されたプラント画面に対応するプラント画面情報を読み出す。
【００５６】
また、プラント画面作成部５７は、主記憶部５４に記憶されている複数の状態判定結果のうち、日本語の文字列に変換する状態判定結果（選択されたプラント画面に表示される状態判定結果）を指示する変換指示信号を生成し、生成された変換指示信号を変換部５８に供給する。この変換指示信号には、主記憶部５４に記憶されている複数の状態判定結果のうち、日本語の文字列に変換する状態判定結果に関する情報が含まれる。
【００５７】
プラント画面作成部５７は、変換部５８から供給された日本語の文字列に変換後の状態判定結果を取得し、取得された日本語の文字列に変換後の状態判定結果と、読み出されたプラント画面情報に基づいてプラント画面を作成し、作成されたプラント画面に関するデータであるプラント画面作成データを表示制御部６１に供給する。
【００５８】
変換部５８は、プラント画面作成部５７から供給された変換指示信号に基づいて日本語の文字列に変換する状態判定結果（選択されたプラント画面に表示される状態判定結果）を認識するとともに、主記憶部５４に記憶されている複数の状態判定結果の中から日本語の文字列に変換する状態判定結果を読み出す。また、補助記憶部５３に記憶されている日本語変換テーブルを読み出し、読み出された日本語変換テーブルを参照して、読み出された状態判定結果を日本語の文字列に変換し、日本語の文字列に変換後の状態判定結果をプラント画面作成部５７に供給する。
【００５９】
状態判定条件画面選択部５９は、入力データ取得部５５から供給された状態判定条件画面の選択に関するデータを取得し、取得された状態判定条件画面の選択に関するデータに基づいて、複数の状態判定条件画面の中から、作成する状態判定条件画面を選択し、選択された状態判定条件画面に関するデータである状態判定条件画面選択データを状態判定条件画面作成部６０に供給する。
【００６０】
状態判定条件画面作成部６０は、状態判定条件画面選択部５９から供給された状態判定条件画面選択データを取得し、取得された状態判定条件画面選択データに基づいて選択された状態判定条件画面を認識するとともに、補助記憶部５３の状態判定条件画面情報記憶部６５に予め記憶されている複数の状態判定条件画面情報の中から、選択された状態判定条件画面に対応する状態判定条件画面情報を読み出す。
【００６１】
状態判定条件画面作成部６０は、主記憶部５４に記憶されている複数の状態判定結果の中から状態判定条件画面に表示する状態判定結果を読み出し、読みされた状態判定結果と、読み出された状態判定条件画面情報に基づいて状態判定条件画面を作成し、作成された状態判定条件画面に関するデータである状態判定条件画面作成データを表示制御部６１に供給する。
【００６２】
表示制御部６１は、プラント画面作成部５７から供給されたプラント画面作成データを取得し、取得されたプラント画面作成データに基づく作成されたプラント画面を出力部３８のＣＲＴやＬＣＤなどからなるディスプレイに表示させる。また、表示制御部６１は、状態判定条件画面作成部６０から供給された状態判定条件画面作成データを取得し、取得された状態判定条件画面作成データに基づく作成された状態判定条件画面を出力部３８のＣＲＴやＬＣＤなどからなるディスプレイに表示させる。
【００６３】
図４のフローチャートを参照して、図３のプラント情報提供装置１１におけるプラント情報提供処理について説明する。
【００６４】
ステップＳ１において、プラントデータ取得部５１は、例えば無線（放送電波など）やネットワーク１２などを介した後通信部４０を介してプラント１３から送信されたプラント１３に関するデータであるプラントデータ、または、ドライブ４１を介して磁気ディスク４２、光ディスク４３、光磁気ディスク４４、および半導体メモリ４５から供給されたプラント１３に関するデータであるプラントデータを取得し、取得されたプラントデータを状態判定部５２に供給する。
【００６５】
図５に示されるように、プラントデータは、例えば、プラント１３がどのプラントであるか否かを識別するためのプラントコード、プラント情報提供装置１１に送信された時刻（あるいは、プラント１３において磁気ディスク４２、光ディスク４３、光磁気ディスク４４、および半導体メモリ４５などの外部記録媒体に記録された時刻）を示す時刻情報、および、複数のプロセスデータの集合であるプロセスデータ群からなる。
【００６６】
プロセスデータ群のプロセスデータは、それぞれ、プラント１３の状態（すなわち、プラント１３を構成する各種機器の状態や、プラント１３の機能の状態など）を把握するのに必要なパラメータを識別するためのパラメータコード（例えば、パラメータコード１、パラメータコード２、…）と、パラメータコードにより識別されるパラメータに関するデータ値（例えば、データ値１、データ値２、…）からなる。
【００６７】
なお、本発明において用いられるプラントデータは、アナログのデータでもよいし、ディジタルのデータでもよい。
【００６８】
また、プラント１３の状態とは、例えばプラント１３を構成する各種機器の状態や、プラント１３の「止める」、「冷やす」、「閉じ込める」などの機能の状態などを意味する。また、プラント１３の「止める」機能とは、原子力プラントであるプラント１３の原子炉の反応を停止させる機能を意味し、プラント１３の「冷やす」機能とは、反応中または反応後に原子炉などの構造物を冷却する機能を意味し、プラント１３の「閉じ込める」機能とは、プラント１３の原子炉内からの放射性物質を外部に出さないようにする機能を意味する。
【００６９】
図５の例の場合、例えば、プロセスデータ１は、パラメータコード１とデータ値１により構成される。プロセスデータ２は、パラメータコード２とデータ値２により構成される。
【００７０】
プラントデータ取得部５１は、取得されたプラントデータを状態判定部５２に供給する。
【００７１】
ステップＳ２において、状態判定部５２は、プラントデータ取得部５２から供給されたプラントデータを取得するとともに、補助記憶部５３に予め記憶されている状態判定テーブル６２を読み出す。
【００７２】
図６は、補助記憶部５３に予め記憶されている状態判定テーブル６２の構成例を表している。
【００７３】
図６の状態判定テーブル６２の第１列目乃至第Ｎ列目には、「状態判定番号」、「パラメータコード」、「設定値１」、「設定値２」、…、「設定値ｎ」が対応付けて記述されており、それぞれ、状態判定結果を識別するための番号、プラント１３の状態（すなわち、プラント１３を構成する各種機器の状態や、プラント１３の機能の状態など）を把握するのに必要なパラメータを識別するためのコード、パラメータコードにより識別されるパラメータに関する第１の基準値、パラメータコードにより識別されるパラメータに関する第２の基準値、…、パラメータコードにより識別されるパラメータに関する第ｎの基準値を示している。
【００７４】
状態判定テーブル６２の第１行目の場合、「状態判定番号」は「１」であり、状態判定結果を識別するための番号が「１」であることを示している。「パラメータコード」は「Ａ００１」であり、プラント１３の状態（すなわち、プラント１３を構成する各種機器の状態や、プラント１３の機能の状態など）を把握するのに必要なパラメータを識別するためのコードが「Ａ００１」であることを示している。「設定値１」は「α１」であり、パラメータコードにより識別されるパラメータに関する第１の基準値が「α１」であることを示している。
【００７５】
例えば、状態判定番号１の場合、プロセスデータに含まれるパラメータコード「Ａ００１」に対応するデータ値Ｘ１がα１であるとき、プラント１３の状態を示す状態判定結果が「１」であると判定され、プロセスデータに含まれるパラメータコード「Ａ００１」に対応するデータ値Ｘ１がα１以外の値であるとき、プラント１３の状態を示す状態判定結果が「２」であると判定される。
【００７６】
また、状態判定番号に対してパラメータコードを複数定義することも可能である。例えば図６の状態判定テーブル６２の状態判定番号２の場合（すなわち、図６の状態判定テーブル６２の第２行目乃至第３行目の場合）、状態判定番号２に対応するパラメータコードをＡ００２とＡ００３の２つ定義する。
【００７７】
具体的には、状態判定テーブル６２の第２行目の場合、「状態判定番号」は「２」であり、状態判定結果を識別するための番号が「２」であることを示している。「パラメータコード」は「Ａ００２」であり、プラント１３の状態（すなわち、プラント１３を構成する各種機器の状態や、プラント１３の機能の状態など）を把握するのに必要なパラメータを識別するためのコードが「Ａ００２」であることを示している。「設定値１」は「α２」であり、パラメータコードにより識別されるパラメータに関する第１の基準値が「α２」であることを示している。
【００７８】
さらに、状態判定テーブル６２の第３行目の場合、「状態判定番号」は「２」であり、状態判定結果を識別するための番号が「２」であることを示している。「パラメータコード」は「Ａ００３」であり、プラント１３の状態（すなわち、プラント１３を構成する各種機器の状態や、プラント１３の機能の状態など）を把握するのに必要なパラメータを識別するためのコードが「Ａ００３」であることを示している。「設定値１」は「α３」であり、パラメータコードにより識別されるパラメータに関する第１の基準値が「α３」であることを示している。
【００７９】
例えば、状態判定番号２の場合、プロセスデータに含まれるパラメータコード「Ａ００２」に対応するデータ値Ｘ２がα２よりも小さく、かつ、プロセスデータに含まれるパラメータコード「Ａ００３」に対応するデータ値Ｘ３がα３よりも小さいとき、プラント１３の状態を示す状態判定結果が「１」であると判定され、それ以外のとき（プロセスデータに含まれるパラメータコード「Ａ００２」に対応するデータ値Ｘ２がα２以上であるか、または、プロセスデータに含まれるパラメータコード「Ａ００３」に対応するデータ値Ｘ３がα３以上であるとき）、プラント１３の状態を示す状態判定結果が「２」であると判定される。
【００８０】
一方、パラメータコードに対して設定値を複数定義することも可能である。例えば図６の状態判定テーブル６２の状態判定番号３の場合（すなわち、図６の状態判定テーブル６２の第４行目の場合）、パラメータコードＡ００４に対応する設定値をα４とβ４の２つ定義する。
【００８１】
具体的には、状態判定テーブル６２の第４行目の場合、「状態判定番号」は「３」であり、状態判定結果を識別するための番号が「３」であることを示している。「パラメータコード」は「Ａ００４」であり、プラント１３の状態（すなわち、プラント１３を構成する各種機器の状態や、プラント１３の機能の状態など）を把握するのに必要なパラメータを識別するためのコードが「Ａ００４」であることを示している。「設定値１」は「α４」であり、パラメータコードにより識別されるパラメータに関する第１の基準値が「α４」であることを示している。「設定値２」は「β４」であり、パラメータコードにより識別されるパラメータに関する第２の基準値が「β４」であることを示している。
【００８２】
例えば、状態判定番号３の場合、プロセスデータに含まれるパラメータコード「Ａ００４」に対応するデータ値Ｘ４がβ４よりも大きく、かつ、プロセスデータに含まれるパラメータコード「Ａ００４」に対応するデータ値Ｘ４がα４よりも小さいとき、プラント１３の状態を示す状態判定結果が「１」であると判定され、それ以外のとき（プロセスデータに含まれるパラメータコード「Ａ００４」に対応するデータ値Ｘ４がβ４以下であるか、または、プロセスデータに含まれるパラメータコード「Ａ００４」に対応するデータ値Ｘ４がα４以上であるとき）、プラント１３の状態を示す状態判定結果が「２」であると判定される。
【００８３】
状態判定テーブル６２の第５行目以降についても同様であり、その説明は繰り返しになるので省略する。
【００８４】
なお、状態判定テーブル６２においては、プラントデータをプラント情報提供装置１１に送信または供給するプラント１３の特性などに合わせて、適宜好適な定義を行うことができる。
【００８５】
また、パラメータコードに対して設定値を複数定義する場合、所定の状態判定番号における状態判定結果を３つ以上設けるようにしてもよい。
【００８６】
具体的には、図６の状態判定テーブル６２の第４行目において、パラメータコードＡ００４に対応する設定値としてα４とβ４を定義した場合、プロセスデータに含まれるパラメータコード「Ａ００４」に対応するデータ値Ｘ４がβ４以下であるとき、プラント１３の状態を示す状態判定結果が「１」と判定され、プロセスデータに含まれるパラメータコード「Ａ００４」に対応するデータ値Ｘ４がβ４よりも大きく、かつ、プロセスデータに含まれるパラメータコード「Ａ００４」に対応するデータ値Ｘ４がα４よりも小さいとき、プラント１３の状態を示す状態判定結果が「２」であると判定され、プロセスデータに含まれるパラメータコード「Ａ００４」に対応するデータ値Ｘ４がα４以上であるとき、プラント１３の状態を示す状態判定結果が「３」であると判定されるようにしてもよい。
【００８７】
これにより、プラント１３の状態（すなわち、プラント１３を構成する各種機器の状態や、プラント１３の機能の状態など）をより詳細に判定することができる。
【００８８】
ステップＳ３において、状態判定部５２は、読み出された状態判定テーブル６２を参照して、取得されたプラントデータに基づいてプラント１３の現在の状態（すなわち、プラント１３を構成する各種機器の現在の状態や、プラント１３の機能の現在の状態など）を判定する。すなわち、状態判定部５２においては、読み出された状態判定テーブル６２を参照して、取得されたプラントデータを構成するプラントデータ群に含まれる複数のプラントデータ（例えば、図５のプラントデータ１、プラントデータ２…）に基づいて、プラント１３の現在の状態を順次判定する（例えば、図６の状態判定番号１から順次判定する）。状態判定部５２は、その状態判定結果を主記憶部５４に供給する。
【００８９】
ステップＳ４において、主記憶部５４は、状態判定部５２から供給された状態判定結果を取得し、取得された状態判定結果を適宜記憶する。
【００９０】
図７は、主記憶部５４に記憶されている状態判定結果の構成例を表している。
【００９１】
図７の状態判定結果の第１列目乃至第Ｎ列目には、「状態判定番号」、「状態判定結果」、「パラメータコード１」、「データ値１」、「パラメータコード２」、「データ値２」、…が対応付けて記述されており、それぞれ、状態判定結果を識別するための番号、プラント１３の現在の状態の状態判定結果、プラント１３の現在の状態を把握するのに必要なパラメータを識別するための第１のコード、パラメータコード１により識別されるパラメータに関する第１のデータ値（図５のプロセスデータに含まれるデータ値）、プラント１３の現在の状態を把握するのに必要なパラメータを識別するための第２のコード、パラメータコード２により識別されるパラメータに関する第２のデータ値、…を示している。
【００９２】
図７の状態判定結果の第１行目の場合、「状態判定番号」は「１」であり、状態判定結果を識別するための番号が「１」であることを示している。「状態判定結果」は「１」であり、プラント１３の現在の状態の状態判定結果が「１」であること（すなわち、パラメータコード「Ａ００１」により識別されるパラメータによって判定されるプラント１３の現在の状態が「運転」状態であること）を示している。「パラメータコード１」は「Ａ００１」であり、プラント１３の現在の状態を把握するために必要なパラメータを識別するための第１のコードが「Ａ００１」であることを示している。「データ値１」は「Ｘ１」であり、パラメータコード１により識別されるパラメータに関する第１のデータ値（図５のプロセスデータに含まれるデータ値）が「Ｘ１」であることを示している。
【００９３】
図７の状態判定結果の第２行目の場合、「状態判定番号」は「２」であり、状態判定結果を識別するための番号が「２」であることを示している。「状態判定結果」は「１」であり、プラント１３の現在の状態の状態判定結果が「１」であること（すなわち、パラメータコード「Ａ００２」および「Ａ００３」により識別されるパラメータによって判定されるプラント１３の現在の状態が「平常値」であること）を示している。「パラメータコード１」は「Ａ００２」であり、プラント１３の現在の状態を把握するために必要なパラメータを識別するための第１のコードが「Ａ００２」であることを示している。「データ値１」は「Ｘ２」であり、パラメータコード１により識別されるパラメータに関する第１のデータ値（図５のプロセスデータに含まれるデータ値）が「Ｘ２」であることを示している。「パラメータコード２」は「Ａ００３」であり、プラント１３の現在の状態を把握するのに必要なパラメータを識別するための第２のコードが「Ａ００３」であることを示している。「データ値２」は「Ｘ３」であり、パラメータコード２により識別されるパラメータに関する第２のデータ値（図５のプロセスデータに含まれるデータ値）が「Ｘ３」であることを示している。
【００９４】
状態判定結果の第３行目以降についても同様であり、その説明は繰り返しになるので省略する。
【００９５】
これにより、プラント１３の現在の状態、すなわち、プラント１３を構成する各種機器の現在の状態や、プラント１３の機能の現在の状態などを判定し、判定された複数の状態判定結果を記憶することができる。
【００９６】
次に、ユーザは、プラント情報提供装置１１の入力部３７を操作することにより、出力部３８のディスプレイに表示される複数のプラント画面のうち、所望のプラント画面を選択する。すなわち、ユーザは、プラント１３の特徴を表す複数の簡易的な系統図（例えば、プラント１３の「止める」、「冷やす」、「閉じ込める」などの機能ごとの複数の画面）のうち、例えばプラント１３の「止める」機能の画面（例えば、図９のプラント画面）を選択する。
【００９７】
このプラント１３の「止める」機能の画面は、プラント１３の原子炉を停止する様子を示している。なお、例えばプラント１３の「冷やす」機能の画面を選択すると、プラント１３の原子炉などの構造物を冷却する様子を示すプラント画面が表示される。
【００９８】
ステップＳ５において、入力データ取得部５５は、ユーザにより入力部３７に設けられたキーボードやマウスなどが操作されることにより入力されたプラント画面に関するデータを取得し、取得されたプラント画面の選択に関するデータをプラント画面選択部５６に供給する。
【００９９】
ステップＳ６において、プラント画面選択部５６は、入力データ取得部５５から供給されたプラント画面の選択に関するデータを取得し、取得されたプラント画面の選択に関するデータに基づいて、複数のプラント画面の中から、作成するプラント画面を選択し、選択されたプラント画面に関するデータであるプラント画面選択データをプラント画面作成部５７に供給する。
【０１００】
ステップＳ７において、プラント画面作成部５７は、プラント画面選択部５６から供給されたプラント画面選択データを取得し、取得されたプラント画面選択データに基づいて選択されたプラント画面を認識するとともに、補助記憶部５３のプラント画面情報記憶部６４に予め記憶されている複数のプラント画面情報の中から、複数のプラント画面のうち選択されたプラント画面に対応するプラント画面情報を読み出す。
【０１０１】
プラント画面情報には、プラント１３の特徴を表す簡易的な系統図に関する画面情報以外に、表示されるプラント画面上のどの位置にどの状態判定番号の状態判定結果を表示するか否かに関する画面情報などが含まれる。
【０１０２】
ステップＳ８において、プラント画面作成部５７は、読み出されたプラント画面情報に基づいて、選択されたプラント画面に表示する状態判定結果に対応する状態判定番号を認識し、主記憶部５４に記憶されている複数の状態判定結果のうち、日本語の文字列に変換する状態判定結果（選択されたプラント画面に表示される状態判定結果）に対応する状態判定番号を指示する変換指示信号を生成し、生成された変換指示信号を変換部５８に供給する。
【０１０３】
この変換指示信号には、主記憶部５４に記憶されている複数の状態判定結果のうち、日本語の文字列に変換する状態判定結果に対応する状態判定番号に関する情報が含まれる。なお、日本語の文字列に変換する状態判定結果は複数でもよく、この場合、変換指示信号には、日本語の文字列に変換する複数の状態判定結果に対応する複数の状態判定番号に関する情報が含まれる。
【０１０４】
ステップＳ９において、変換部５８は、プラント画面作成部５７から供給された変換指示信号に基づいて日本語の文字列に変換する状態判定結果（選択されたプラント画面に表示される状態判定結果）に対応する状態判定番号を認識するとともに、認識された状態判定番号に基づいて、主記憶部５４に記憶されている複数の状態判定結果の中から日本語の文字列に変換する状態判定結果を読み出す。
【０１０５】
ステップＳ１０において、変換部５８は、補助記憶部５３記憶されている日本語変換テーブルを読み出す。
【０１０６】
図８は、補助記憶部５３に記憶されている日本語変換テーブルの構成例を表している。
【０１０７】
図８の日本語変換テーブル６３の第１列目乃至第Ｎ列目には、「状態判定番号」、「状態判定結果＝１／文字列／色」、「状態判定結果＝２／文字列／色」、…、「状態判定結果＝ｎ／文字列／色」が対応付けて記述されており、それぞれ、状態判定結果を識別するための番号、状態判定結果が１のときに変換する日本語の文字列と色、状態判定結果が２のときに変換する日本語の文字列と色、…、状態判定結果がｎのときに変換する日本語の文字列と色を示している。
【０１０８】
図８の日本語変換テーブル６３の第１行目の場合、「状態判定番号」は「１」であり、状態判定結果を識別するための番号が「１」であることを示している。「状態判定結果＝１／文字列／色」は「運転／Ｂ」であり、状態判定結果が１のときに変換する日本語の文字列と色が「運転」と「Ｂ（黒）」であることを示している。「状態判定結果＝２／文字列／色」は「停止／Ｙ」であり、状態判定結果が１のときに変換する日本語の文字列と色が「停止」と「Ｙ（黄色）」であることを示している。
【０１０９】
図８の日本語変換テーブル６３の第２行目の場合、「状態判定番号」は「２」であり、状態判定結果を識別するための番号が「２」であることを示している。「状態判定結果＝１／文字列／色」は「平常値／Ｂ」であり、状態判定結果が１のときに変換する日本語の文字列と色が「平常値」と「Ｂ（黒）」であることを示している。「状態判定結果＝２／文字列／色」は「異常／Ｒ」であり、状態判定結果が１のときに変換する日本語の文字列と色が「異常」と「Ｒ（赤）」であることを示している。
【０１１０】
日本語変換テーブル６３の第３行目以降についても同様であり、その説明は繰り返しになるので省略する。
【０１１１】
なお、この日本語変換テーブル６３は、テキスト形式で予め作成しておけば、その後の編集、削除などを容易に行うことが可能となる。
【０１１２】
変換部５８は、主記憶部５４から読み出された状態判定結果を日本語に変換し、日本語に変換後の状態判定結果をプラント画面作成部５７に供給する。
【０１１３】
例えば図７の第１行目の場合、状態判定番号１に対応する状態判定結果は「１」であり、図８の日本語変換テーブル６３において状態判定番号１に対応する状態判定結果が「１」のときの「文字列／色」は「運転」と「Ｂ（黒）」であることから、変換部５８では、状態判定番号１に対応する状態判定結果は色調「黒」の「運転」という日本語の文字列に変換される。
【０１１４】
また、例えば図７の第２行目の場合、状態判定番号２に対応する状態判定結果は「１」であり、図８の日本語変換テーブル６３において状態判定番号２に対応する状態判定結果が「１」のときの「文字列／色」は「平常値」と「Ｂ（黒）」であることから、変換部５８では、状態判定番号２に対応する状態判定結果は色調「黒」の「平常値」という日本語の文字列に変換される。
【０１１５】
ステップＳ１２において、プラント画面作成部５７は、変換部５８から供給された日本語の文字列に変換後の状態判定結果を取得し、取得された日本語の文字列に変換後の状態判定結果と、読み出されたプラント画面情報に基づいてプラント画面を作成し、作成されたプラント画面に関するデータであるプラント画面作成データを表示制御部６１に供給する。
【０１１６】
ステップＳ１３において、表示制御部６１は、プラント画面作成部５７から供給されたプラント画面作成データを取得し、取得されたプラント画面作成データに基づく作成されたプラント画面を出力部３８のＣＲＴやＬＣＤなどからなるディスプレイに表示させる。出力部３８は、表示制御部６１の制御に従い、プラント画面作成データに基づく作成されたプラント画面を、出力部３８のＣＲＴやＬＣＤなどからなるディスプレイに表示する。
【０１１７】
図９は、出力部３８に表示されるプラント画面の表示例を表している。
【０１１８】
図９に示されるように、出力部３８に表示されるプラント画面の左上の表示領域a乃至cに「止める」、「冷やす」、および「閉じ込める」機能が表示され、プラント画面の中央の表示領域dにプラント１３の特徴を表す簡易的な系統図が表示される。
【０１１９】
プラント画面の中央の表示領域dの中には、さらに、プラント１３の現在の状態を表示する表示領域e乃至fが設けられ、プラント１３の現在の状態を示す状態判定結果が日本語の文字列に変換されてそれぞれ表示される。
【０１２０】
図９の例の場合、プラント画面の中央の表示領域dに設けられた表示領域e乃至fには、「停止」、「平常値」、および「全挿入」が表示されており、それぞれ、プラント１３の原子炉が現在停止していること、プラント１３内の原子炉の水位が平常値であること、および、原子炉を緊急停止する際に用いられる制御棒が全挿入されていることを示している。なお、表示領域e乃至fに表示される日本語の文字列に変換後の状態判定結果以外は、表示されるプラント画面の固定部である。
【０１２１】
本発明の実施形態においては、プラントデータに基づいてプラント１３の現在の状態を判定し、その状態判定結果を、日本語変換テーブルを用いて日本語の文字列に変換し、日本語の文字列に変換後の状態判定結果をプラント画面に表示するようにしたので、プラント１３に関する知識が乏しい一般の人々であっても、プラント１３の現在の状態を容易に理解することができる。
【０１２２】
また、本発明の実施形態においては、プラント１３を構成する各種機器や機能ごとに状態判定を行うようにしたので、プラント画面に表示される状態判定結果の表示項目の増大を抑制することができ、その結果、ユーザは、プラント１３の現在の状態を容易に理解することができる。
【０１２３】
従って、プラントに関する情報を迅速に、かつ、分かりやすく提供することができる。
【０１２４】
次に、ユーザは、プラント情報提供装置１１の入力部３７（例えば図示せぬマウスなど）を操作することにより、出力部３８のディスプレイに表示される複数の状態判定条件画面のうち、所望の状態判定条件画面を選択する。すなわち、ユーザは、図９に示されるプラント画面上の表示領域e乃至fのいずれかの領域の日本語の文字列をクリックする（マウスを内部方向に押圧する）。
【０１２５】
ステップＳ１４において、入力データ取得部５５は、ユーザにより入力部３７に設けられたキーボードやマウスなどが操作されることにより入力された状態判定条件画面の選択に関するデータを取得し、取得された状態判定条件画面の選択に関するデータを状態判定条件画面選択部５９に供給する。
【０１２６】
ステップＳ１５において、状態判定条件画面選択部５９は、入力データ取得部５５から供給された状態判定条件画面の選択に関するデータを取得し、取得された状態判定条件画面の選択に関するデータに基づいて、複数の状態判定条件画面の中から、作成する状態判定条件画面を選択し、選択された状態判定条件画面に関するデータである状態判定条件画面選択データを状態判定条件画面作成部６０に供給する。
【０１２７】
例えば、ユーザにより入力部３７が操作されることにより、図９に示されるプラント画面上の表示領域eの日本語の文字列がクリックされた（マウスを内部方向に押圧された）場合、プラント画面上の表示領域eに表示される原子炉に関する状態判定結果に対応する状態判定条件画面が選択される。
【０１２８】
ステップＳ１６において、状態判定条件画面作成部６０は、状態判定条件画面選択部５９から供給された状態判定条件画面選択データを取得し、取得された状態判定条件画面選択データに基づいて選択された状態判定条件画面を認識するとともに、補助記憶部５３の状態判定条件画面情報記憶部６５に予め記憶されている複数の状態判定条件画面情報の中から、選択された状態判定条件画面に対応する状態判定条件画面情報を読み出す。
【０１２９】
状態判定条件画面情報には、例えば、状態判定結果に対応した画面レイアウトに関する画面情報や、表示するパラメータに対応するパラメータコードとその表示位置に関する画面情報などが含まれる。
【０１３０】
ステップＳ１７において、状態判定条件画面作成部６０は、読み出された状態判定条件画面情報に基づいて、選択された状態判定条件画面に表示されるパラメータに対応するパラメータコードを認識し、主記憶部５４に記憶されている複数の状態判定結果の中から、状態判定条件画面に表示するパラメータコードに対応するパラメータのデータ値（例えば、図７のデータ値１、データ値２など）を読み出す。
【０１３１】
ステップＳ１８において、状態判定条件画面作成部６０は、読みされた状態判定条件画面に表示するパラメータコードに対応するパラメータのデータ値と、読み出された状態判定条件画面情報に基づいて状態判定条件画面を作成し、作成された状態判定条件画面に関するデータである状態判定条件画面作成データを表示制御部６１に供給する。
【０１３２】
ステップＳ１９において、表示制御部６１は、状態判定条件画面作成部６０から供給された状態判定条件画面作成データを取得し、取得された状態判定条件画面作成データに基づく作成された状態判定条件画面をプラント画面上に重畳して出力部３８のＣＲＴやＬＣＤなどからなるディスプレイに表示させる。出力部３８は、表示制御部６１の制御に従い、状態判定条件画面作成データに基づく作成された状態判定条件画面をプラント画面上に重畳して、出力部３８のＣＲＴやＬＣＤなどからなるディスプレイに表示する。
【０１３３】
図９に示されるように、出力部３８に表示されるプラント画面の表示領域ｈに、例えば表示領域eに対応する状態判定結果に関するパラメータのデータ値が、そのパラメータについて予め設定された設定値（図６の状態判定テーブル６２の設定値１、設定値２など）とともに表示される。なお、表示されるパラメータに予め設定された設定値に関する情報は、状態判定条件画面情報に予め含まれている。
【０１３４】
これにより、プラント１３に関する知識が乏しい一般の人々を含めたユーザがプラント１３の状態判定結果におけるパラメータのデータ値を閲覧したい場合に、プラント１３の状態判定結果におけるパラメータのデータ値をプラント画面に重畳して表示することができ、プラント１３の現在の状態をより詳細に理解することができる。従って、プラントに関する情報を迅速に提供することができる。
【０１３５】
ステップＳ２０において、入力データ取得部５５は、他のプラント画面の選択に関するデータを取得したか否かを判定する。
【０１３６】
ステップＳ２０において他のプラント画面の選択に関するデータを取得したと判定された場合、処理はステップＳ６に戻り、ステップＳ６以降の処理が繰り返される。
【０１３７】
一方、ステップＳ２０において他のプラント画面の選択に関するデータを取得していないと判定された場合、プラント情報提供処理は終了する。
【０１３８】
ところで、図１のプラント情報提供装置１１においては、例えば無線（放送電波など）やネットワーク１２などを介した後通信部４０を介してプラント１３から供給されたプラント１３に関するデータであるプラントデータ、あるいは、ドライブ４１を介して磁気ディスク４２、光ディスク４３、光磁気ディスク４４、および半導体メモリ４５から供給されたプラント１３に関するデータであるプラントデータを取得するようにしたが、プラントデータを送信するプラント１３における設備投資が必要となり、小規模なプラント１３では図１のプラント情報提供システム１を適用することができない場合が想定される。
【０１３９】
そこで、プラント１３の近接する例えばパーソナルコンピュータなどの情報処理装置などを用いて、プラント情報提供装置１１にWeb機能により接続し、情報処理装置上で閲覧されたプラント情報提供装置１１により管理される入力支援画面を用いて、ユーザがプラント１３のプラントデータに含まれるプロセスデータ群を直接入力し、他の場所（例えば、遠隔地など）に存在するプラント情報提供装置１１にネットワーク１２を介して送信するようにしてもよい。
【０１４０】
図１０は、本発明を適用したプラント情報提供システムの第１の実施形態の他の概略的な構成を表している。
【０１４１】
図１０に示されるように、プラント情報提供システム１は、プラントに関する情報をユーザに提供するプラント情報提供装置１１と、プラント情報提供装置１１にネットワーク１２（例えば、インターネット、有線または無線のＬＡＮ（Local Area Network）、ＷＡＮ（Wide Area Network）その他の各種のネットワークを含む）などを介してプラントデータを送信する、プラント１３に近接する情報処理装置７０により構成される。
【０１４２】
情報処理装置７０には予めWeb機能が搭載されており、情報処理装置７０は、プラント情報提供装置１１にネットワーク１２を介して接続し、情報処理装置上で閲覧されたプラント情報提供装置１１により管理される入力支援画面を表示する。ユーザは、表示された入力支援画面を用いて、プラント１３のプラントデータに含まれるプロセスデータ群を直接入力する。なお、ネットワーク１２を介して情報処理装置７０からプラント情報提供装置１１に接続する際、不審者などによる不正アクセスを防止するために、ファイアウォールなどを設置してユーザ認証（例えば、パスワードによるユーザ認証）などのセキュリティ処理が行われる。
【０１４３】
図１１は、図１０の情報処理装置７０として適用可能なパーソナルコンピュータ７１の内部の構成を表している。
【０１４４】
図１１においては、ＣＰＵ（Central Processing Unit）７２は、ＲＯＭ（Read Only Memory）７３に記憶されているプログラムまたは記憶部７９からＲＡＭ（Random Access Memory）７４にロードされた各種のアプリケーションプログラムに従って各種の処理を実行するとともに、種々の制御信号を生成し、各部に供給することによりプラント情報提供装置１１を統括的に制御する。ＲＡＭ７４は、ＣＰＵ７２が各種の処理を実行する上において必要なデータなどを適宜記憶する。
【０１４５】
ＣＰＵ７２、ＲＯＭ７３、およびＲＡＭ７４には、バス７５を介して相互に接続されている。このバス７５にはまた、入出力インタフェース７６が接続される。
【０１４６】
入出力インタフェース７６には、キーボード、マウスなどからなる入力部３７、ＣＲＴ(Cathode Ray Tube)、ＬＣＤ(Liquid Crystal Display)などからなるディスプレイ、並びにスピーカなどからなる出力部７８、ハードディスクなどより構成される記憶部７９、モデム、ターミナルアダプタ、ネットワークインタフェース（いずれも図示せず）などからなる構成される通信部８０が接続される。
【０１４７】
記憶部７９は、種々のアプリケーションプログラムなどを予め記憶し、適宜、アプリケーションプラグラムが実行されることにより生成された種々のデータを記憶する。
【０１４８】
通信部８０は、ネットワーク１２を介してプラント情報提供装置１１との通信処理を行う。
【０１４９】
入出力インタフェース７６にはまた、必要に応じてドライブ８１が接続され、磁気ディスク８２（フロッピディスクを含む）、光ディスク８３（ＣＤ-ＲＯＭ(Compact Disk-Read Only Memory）、ＤＶＤ(Digital Versatile Disk)を含む)、光磁気ディスク８４(ＭＤ(Mini-Disk)を含む)、あるいは半導体メモリ８５などが適宜装着され、それから読み出されたアプリケーションプログラムが、必要に応じて記憶部７９にインストールされる。
【０１５０】
図１２は、図１１のパーソナルコンピュータ７１の出力部７８に表示される入力支援画面の表示例を表している。なお、図９のプラント画面と対応する表示領域については同一の符号を付しており、その説明は繰り返しになるので省略する。
【０１５１】
図１２に示されるように、プロセスデータ群を構成するプロセスデータのデータ値をアナログ値あるいはディジタル値でユーザが入力することができる入力欄表示領域i乃至kが表示される。また、プロセスデータ群を構成するプロセスデータのデータ値をディジタル値でユーザが入力する場合に用いられるON／OFF切り替え欄表示領域lが表示される。
【０１５２】
これにより、ユーザは、プラント１３に特別な設備がなくても、ネットワーク１２に接続されたパーソナルコンピュータ７１などの情報処理装置７０を用いて、プロセスデータのデータ値をプラント情報提供装置１１に送信することができる。従って、十分な設備を整えることが難しい小規模なプラント１３においても、本発明を適用することが可能となる。
【０１５３】
ところで、図１に示されたプラント情報提供装置１１においては、何らかの手段により取得されたプラントデータに基づいてプラント１３の現在の状態を判定するようにしたが、何らかの手段により取得されたプラントデータを逐次記憶し、記憶された時系列的な複数のプラントデータを用いて、プラント１３の現在の傾向を判定するようにしてもよい。以下、第２の実施形態について説明する。
【０１５４】
［第２の実施形態］
図１３は、本発明を適用したプラント情報提供システム１の第２の実施形態の概念的な構成を表している。なお、図１のプラント情報提供システム１の構成と対応するものについては、同一の符号を付してあり、その説明は繰り返しになるので省略する。
【０１５５】
データ蓄積部９１は、プラントデータ受信部２１またはデータ取得部２２から供給されたプラントデータを逐次取得し、取得されたプラントデータを時系列的に逐次蓄積する。
【０１５６】
傾向判定部９２は、プラントデータ受信部２１からの通知に従い、データ蓄積部９１に蓄積されたプラントデータを読み出し、予め記憶されている傾向判定テーブル９３の内容を参照して、読み出されたプラントデータに基づいてプラント１３−１乃至１３−４の現在の傾向を判定し、傾向判定結果９４に格納するとともに、画面表示部２６に通知する。
【０１５７】
画面表示部２６は、傾向判定結果９４の内容を例えば日本語変換テーブル２９の内容と照合し、プラント画面情報２８に格納されているプラントの特徴を表す簡易的な系統図上に、プラント（例えば、プラント１３−１乃至１３−４）の現在の傾向を日本語の文字列で表示する。
【０１５８】
傾向判定テーブル９３、プラント画面情報２８、および日本語変換テーブル２９は、プラントデータを取得するプラント（例えば、プラント１３−１乃至１３−４）の数に応じて保有することができる。
【０１５９】
画面選択部２７は、ユーザにより表示する要求があったプラント画面または傾向判定条件画面を選択し、選択されたプラント画面または状態判定条件画面を画面表示部２６または傾向判定条件画面表示部９６に通知する。
【０１６０】
傾向判定条件画面表示部９６は、傾向判定条件画面情報９５に格納されている傾向判定条件画面情報の内容を参照して、プラント（例えば、プラント１３−１乃至１３−４）の傾向判定条件画面を表示する。
【０１６１】
なお、本発明の第２の実施形態におけるプラント情報提供装置１１の内部の機械的な構成については、図２の構成と基本的には同様であり、その説明は繰り返しになるので省略する。
【０１６２】
図１４は、本発明に係るプラント情報提供装置１１が実行することができる機能的な構成を表している。なお、図３の構成と対応するものについては、同一の符号を付しており、その説明は繰り返しになるので省略する。
【０１６３】
傾向判定部１０１は、プラントデータ取得部５１からの通知に従い、補助記憶部５３に記憶されているプラントデータデータベース１０２を読み出すとともに、補助記憶部５３に予め記憶されている傾向判定テーブル１０３を読み出し、読み出された傾向判定テーブル１０３を参照して、読み出されたプラントデータデータベース１０４に基づいてプラント１３の現在の傾向を判定する。傾向判定部１０１は、その判定結果を主記憶部５４に供給する。
【０１６４】
補助記憶部５３は、プラントデータデータベース１０４と傾向判定テーブル１０５を記憶するとともに、傾向判定条件画面情報記憶部１０６を有する。
【０１６５】
プラントデータデータベース１０４、プラントデータ取得部５１から供給されたプラントデータを逐次取得し、取得されたプラントデータをプラント１３ごとに時系列的に逐次記憶する。
【０１６６】
傾向判定テーブル１０５は、傾向判定結果を識別するための番号である傾向判定番号、プラント１３の傾向を把握するのに必要なパラメータを識別するためのコードであるパラメータコードと、パラメータコードにより識別されるパラメータに関する所定の基準値（設定値）が予め対応付けられて登録されている。
【０１６７】
傾向判定条件画面情報記憶部１０６は、プラント１３の現在の傾向などを表示する際に必要に応じて表示される傾向判定条件画面に関する画面情報（傾向判定条件画面情報）を予め記憶している。傾向判定条件画面情報には、例えば、傾向判定結果に対応した画面レイアウトに関する画面情報や、表示するパラメータに対応するパラメータコードとその表示位置に関する画面情報などが含まれる。
【０１６８】
傾向判定条件画面選択部１０２は、入力データ取得部５５から供給された傾向判定条件画面の選択に関するデータを取得し、取得された傾向判定条件画面の選択に関するデータに基づいて、複数の傾向判定条件画面の中から、作成する傾向判定条件画面を選択し、選択された傾向判定条件画面に関するデータである傾向判定条件画面選択データを傾向判定条件画面作成部１０３に供給する。
【０１６９】
傾向判定条件画面作成部１０３は、傾向判定条件画面選択部１０２から供給された傾向判定条件画面選択データを取得し、取得された傾向判定条件画面選択データに基づいて選択された傾向判定条件画面を認識するとともに、補助記憶部５３の傾向判定条件画面情報記憶部１０６に予め記憶されている複数の傾向判定条件画面情報の中から、選択された傾向判定条件画面に対応する傾向判定条件画面情報を読み出す。
【０１７０】
傾向判定条件画面作成部１０３は、主記憶部５４に記憶されている複数の傾向判定結果の中から傾向判定条件画面に表示する傾向判定結果を読み出すとともに、傾向判定条件作成部１０３は、補助記憶部５３のプラントデータデータベース１０４の中から、傾向判定条件画面に表示する傾向判定結果に対応するプラントデータを読み出す。傾向判定条件画面作成部１０３は、読みされた傾向判定結果および対応するプラントデータと、読み出された傾向判定条件画面情報に基づいて傾向判定条件画面を作成し、作成された傾向判定条件画面に関するデータである傾向判定条件画面作成データを表示制御部６１に供給する。
【０１７１】
次に、図１５のフローチャートを参照して、図１４におけるプラント情報提供処理について説明する。
【０１７２】
ステップＳ３１において、プラントデータ取得部５１は、例えば無線（放送電波など）やネットワーク１２などを介した後通信部４０を介してプラント１３から送信されたプラント１３に関するデータであるプラントデータ、または、ドライブ４１を介して磁気ディスク４２、光ディスク４３、光磁気ディスク４４、および半導体メモリ４５から供給されたプラント１３に関するデータであるプラントデータを逐次取得し、取得されたプラントデータを補助記憶部５３のプラントデータデータベース１０４に逐次供給する。なお、プラントデータのデータ構造については、図５のデータ構造と同様であり、その説明は繰り返しになるので省略する。
【０１７３】
また、プラントデータ取得部５１は、新たなプラントデータが取得された旨を傾向判定部１０１に通知する。
【０１７４】
ステップＳ３２において、補助記憶部５３のプラントデータデータベース１０４は、プラントデータ取得部５１から供給されたプラントデータを逐次取得し、取得されたプラントデータをプラント１３ごとに時系列的に逐次記憶し、プラントデータデータベース１０４に管理されるデータベースを更新する。
【０１７５】
ステップＳ３３において、傾向判定部１０１は、プラントデータ取得部５１からの新たなプラントデータが取得された旨の通知に従い、補助記憶部５３に記憶されている最新のプラントデータデータベース１０４を読み出す。
【０１７６】
図１６は、補助記憶部５３に記憶されているプラントデータデータベース１０４の構成例を表している。
【０１７７】
図１６のプラントデータデータベース１０４の第１行目には、プラント１３の傾向を把握するのに必要なパラメータを識別するためのコードであるパラメータコードが記述されており、パラメータコードとして「Ｂ００１」、「Ｂ００２」、「Ｂ００３」…が順次記述されている。
【０１７８】
一方、図１６のプラントデータデータベース１０４の第１列目には、プラント情報提供装置１１に送信された時刻（あるいは、プラント１３において磁気ディスク４２、光ディスク４３、光磁気ディスク４４、および半導体メモリ４５などの外部記録媒体に記録された時刻）を示す時刻が記述されており、時刻として「ｔ１」、「ｔ２」、「ｔ３」、「ｔ４」…が順次記述されている。
【０１７９】
なお、時刻「ｔ１」、「ｔ２」、「ｔ３」、「ｔ４」…の時間幅Δｔは一定とする。換言すれば、プラントデータ取得部５１において、例えば無線（放送電波など）やネットワーク１２などを介した後通信部４０を介してプラント１３から送信されたプラント１３に関するデータであるプラントデータ、または、ドライブ４１を介して磁気ディスク４２、光ディスク４３、光磁気ディスク４４、および半導体メモリ４５から供給されたプラント１３に関するデータであるプラントデータが所定の時間幅Δｔで逐次取得され、プラントデータデータベース１０４においてプラントデータが所定の時間幅Δｔで逐次記憶される。
【０１８０】
図１６のプラントデータデータベース１０４の場合、パラメータコード「Ｂ００１」に対応するパラメータに関するデータ値として、時刻ｔ１乃至時刻ｔ４において、それぞれ、「Ｘ１ｔ１」、「Ｘ１ｔ２」、「Ｘ１ｔ３」、「Ｘ１ｔ４」が記憶されている。パラメータコード「Ｂ００２」に対応するパラメータに関するデータ値として、時刻ｔ１乃至時刻ｔ４において、それぞれ、「Ｘ２ｔ１」、「Ｘ２ｔ２」、「Ｘ２ｔ３」、「Ｘ２ｔ４」が記憶されている。
【０１８１】
これは、パラメータコード「Ｂ００１」により識別されるパラメータに関するデータ値が、時刻ｔ１乃至時刻ｔ４において、「Ｘ１ｔ１」、「Ｘ１ｔ２」、「Ｘ１ｔ３」、「Ｘ１ｔ４」のように遷移していることを意味している。また、パラメータコード「Ｂ００２」により識別されるパラメータに関するデータ値が、時刻ｔ１乃至時刻ｔ４において、「Ｘ２ｔ１」、「Ｘ２ｔ２」、「Ｘ２ｔ３」、「Ｘ２ｔ４」のように遷移していることを意味している。
【０１８２】
ステップＳ３４において、傾向判定部１０１は、補助記憶部５３に予め記憶されている傾向判定テーブル１０５を読み出す。
【０１８３】
図１７は、補助記憶部５３に予め記憶されている傾向判定テーブル１０５の構成例を表している。
【０１８４】
図１７の傾向判定テーブル１０５の第１列目乃至第Ｎ列目には、「傾向判定番号」、「パラメータコード」、「設定値１」、「設定値２」、…、「設定値ｎ」が対応付けて記述されており、それぞれ、傾向判定結果を識別するための番号、プラント１３の傾向（すなわち、プラント１３を構成する各種機器の傾向や、プラント１３の機能の傾向など）を把握するのに必要なパラメータを識別するためのコード、パラメータコードにより識別されるパラメータに関する第１の基準値、変動幅、および変動を判定するための変動判定時間、パラメータコードにより識別されるパラメータに関する第２の基準値、変動幅、および変動を判定するための変動判定時間、…、パラメータコードにより識別されるパラメータに関する第ｎの基準値、変動幅、および変動を判定するための変動判定時間を示している。なお、変動を判定するための変動判定時間は、プラントデータがプラントデータデータベース１０４に記憶される所定の時間幅Δｔの整数倍である。また、各変動幅は正の値とする。
【０１８５】
傾向判定テーブル１０５の第１行目の場合、「傾向判定番号」は「１」であり、傾向判定結果を識別するための番号が「１」であることを示している。「パラメータコード」は「Ｂ００１」であり、プラント１３の傾向（すなわち、プラント１３を構成する各種機器の傾向や、プラント１３の機能の傾向など）を把握するのに必要なパラメータを識別するためのコードが「Ｂ００１」であることを示している。「設定値１」は「Ｚα１、α１、Ｔα１」であり、パラメータコードにより識別されるパラメータに関する第１の基準値、変動幅、および変動を判定するための変動判定時間がそれぞれ「Ｚα１」、「α１」、および「Ｔα１」であることを示している。
【０１８６】
傾向判定番号１において、例えば現在時刻がｔ４であり、パラメータコード「Ｂ００１」に対応する現在のデータ値がＸ１ｔ４であり、また、Ｔα１が所定の時間幅Δｔの２倍である場合、現在のデータ値Ｘ１ｔ４が第１の基準値Ｚα１よりも大きく、かつ、現在のデータ値Ｘ１ｔ４と変動判定時間Ｔα１（２×Δｔ）前のデータ値Ｘ１ｔ２との差（Ｘ１ｔ４−Ｘ１ｔ２）が変動幅α１よりも大きいとき、第１の基準値Ｚα１よりも高い値である上に上昇（異常）傾向にあるとして、プラント１３の傾向を示す傾向判定結果が「１」であると判定される。また、現在のデータ値Ｘ１ｔ４が第１の基準値Ｚα１よりも大きく、かつ、現在のデータ値Ｘ１ｔ４と変動判定時間Ｔα１（２×Δｔ）前のデータ値Ｘ１ｔ２との差（Ｘ１ｔ４−Ｘ１ｔ２）が変動幅−α１よりも小さいとき（すなわち、現在のデータ値Ｘ１ｔ４は第１の基準値Ｚα１よりも大きいが、時刻ｔ２におけるデータ値Ｘ１ｔ２よりも小さく、かつ、両データ値の差の絶対値｜Ｘ１ｔ４−Ｘ１ｔ２｜が変動幅α１よりも大きいとき）、第１の基準値Ｚα１よりも高い値であるが、下降（改善）傾向にあるとして、プラント１３の傾向を示す傾向判定結果が「２」であると判定される。それ以外の場合、第１の基準値Ｚα１よりも高い値であるが、安定しているとして、プラント１３の傾向を示す傾向判定結果が「０」と判定される。
【０１８７】
一方、現在のデータ値Ｘ１ｔ４が第１の基準値Ｚα１以下であり、かつ、現在のデータ値Ｘ１ｔ４と変動判定時間Ｔα１（２×Δｔ）前のデータ値Ｘ１ｔ２との差（Ｘ１ｔ４−Ｘ１ｔ２）が変動幅α１よりも大きいとき、第１の基準値Ｚα１以下であり、かつ、上昇（正常）傾向にあるとして、プラント１３の傾向を示す傾向判定結果が「３」であると判定される。また、現在のデータ値Ｘ１ｔ４が第１の基準値Ｚα１以下であり、かつ、現在のデータ値Ｘ１ｔ４と変動判定時間Ｔα１（２×Δｔ）前のデータ値Ｘ１ｔ２との差（Ｘ１ｔ４−Ｘ１ｔ２）が変動幅−α１よりも小さいとき（すなわち、現在のデータ値Ｘ１ｔ４は第１の基準値Ｚα１以下であるが、時刻ｔ２におけるデータ値Ｘ１ｔ２よりも小さく、かつ、両データ値の差の絶対値｜Ｘ１ｔ４−Ｘ１ｔ２｜が変動幅α１よりも大きいとき）、第１の基準値Ｚα１以下であるが、下降（正常）傾向にあるとして、プラント１３の傾向を示す傾向判定結果が「４」であると判定される。それ以外の場合、第１の基準値Ｚα１以下であり、安定しているとして、プラント１３の傾向を示す傾向判定結果が「０」と判定される。
【０１８８】
傾向判定テーブル１０５の第２行目以降についても同様であり、その説明は繰り返しになるので省略する。
【０１８９】
なお、変動判定時間内における様々な変動を判定するために、パラメータコードに対して設定値を複数定義することも可能である。例えば図１７の傾向判定テーブル１０５の傾向判定番号４の場合、パラメータコードＢ００４に対応する設定値を設定値１と設定値２の２つ定義する。この場合、複数定義された設定値のうち、番号が若い設定値ほど傾向判定処理における優先度を高く設定する。すなわち、複数定義された設定値のうち、設定値１が最も優先される。
【０１９０】
また、同じ種類のデータ値が複数ある場合、傾向判定番号に対してパラメータコードを複数定義することも可能である。例えば図１７の傾向判定テーブル１０５の傾向判定番号４の場合、傾向判定番号４に対応するパラメータコードをＢ００４とＢ００５の２つ定義する。
【０１９１】
これにより、複数のデータ値を用いてプラント１３の傾向を判定することができ、それらのデータ値が異なる傾向を示した場合、それらのデータ値は信頼性が少ないとして判定不可とすることも可能である。すなわち、プラント１３の傾向をより正確に判定することができる。
【０１９２】
さらに、図１７の傾向判定テーブル１０５の設定値において、基準値（例えば、第１の基準値、第２の基準値など）を設定しないようにしてもよいし、基準値を設定した場合、上限値と下限値のいずれにも設定することができる。
【０１９３】
なお、傾向判定テーブル１０５においては、プラントデータをプラント情報提供装置１１に送信または供給するプラント１３の特性などに合わせて、適宜好適な定義を行うことができる。
【０１９４】
ステップＳ３５において、傾向判定部１０１は、読み出された傾向判定テーブル１０５を参照して、読み出されたプラントデータデータベース１０４に基づいてプラント１３の現在の傾向を判定する。傾向判定部１０１は、その判定結果を主記憶部５４に供給する。
【０１９５】
ステップＳ３６において、主記憶部５４は、傾向判定部１０１から供給された傾向判定結果を取得し、取得された傾向判定結果を適宜記憶する。
【０１９６】
図１８は、主記憶部５４に記憶されている傾向判定結果の構成例を表している。
【０１９７】
図１８の傾向判定結果の第１列目乃至第Ｎ列目には、「傾向判定番号」、「パラメータコード」、「設定値１／傾向判定結果／時刻（ｔ）」、「設定値２／傾向判定結果／時刻（ｔ）」、…「設定値ｎ／傾向判定結果／時刻（ｔ）」が対応付けて記述されており、それぞれ、傾向判定結果を識別するための番号、プラント１３の現在の傾向を把握するのに必要なパラメータを識別するためのコード、設定値１におけるプラント１３の現在の傾向の傾向判定結果とその時刻（ｔ）、設定値２におけるプラント１３の現在の傾向の傾向判定結果とその時刻（ｔ）、…設定値ｎにおけるプラント１３の現在の傾向の傾向判定結果とその時刻（ｔ）を示している。
【０１９８】
図１８の傾向判定結果の第１行目の場合、「傾向判定番号」は「１」であり、傾判定結果を識別するための番号が「１」であることを示している。「パラメータコード」は「Ｂ００１」であり、プラント１３の現在の傾向を把握するのに必要なパラメータを識別するためのコードが「Ｂ００１」であることを示している。「設定値１／傾向判定結果／時刻（ｔ）」は「１／ｔｎ（ｔ）」であり、設定値１におけるプラント１３の現在の傾向の傾向判定結果とその時刻がそれぞれ「１」と「ｔｎ（ｔ）」であることを示している。
【０１９９】
図１８の傾向判定結果の第２行目の場合、「傾向判定番号」は「２」であり、傾判定結果を識別するための番号が「２」であることを示している。「パラメータコード」は「Ｂ００２」であり、プラント１３の現在の傾向を把握するのに必要なパラメータを識別するためのコードが「Ｂ００２」であることを示している。「設定値１／傾向判定結果／時刻（ｔ）」は「１／ｔｎ（ｔ）」であり、設定値１におけるプラント１３の現在の傾向の傾向判定結果とその時刻がそれぞれ「１」と「ｔｎ（ｔ）」であることを示している。
【０２００】
図１８の傾向判定結果の第３行目の場合、「傾向判定番号」は「３」であり、傾判定結果を識別するための番号が「３」であることを示している。「パラメータコード」は「Ｂ００３」であり、プラント１３の現在の傾向を把握するのに必要なパラメータを識別するためのコードが「Ｂ００３」であることを示している。「設定値１／傾向判定結果／時刻（ｔ）」は「０／ｔｎ（ｔ）」であり、設定値１におけるプラント１３の現在の傾向の傾向判定結果とその時刻がそれぞれ「０」と「ｔｎ（ｔ）」であることを示している。
【０２０１】
状態判定結果の第４行目以降についても同様であり、その説明は繰り返しになるので省略する。
【０２０２】
なお、図１８の傾向判定結果の第４行目の場合、１つの傾向判定番号に対して２つのパラメータコード（Ｂ００４とＢ００５）が定義されており、また、１つのパラメータコードに対して２つの設定値が定義されている。このとき、複数の設定値のうち、最も番号の若い設定値が優先されることから、パラメータコードＢ００４とＢ００５における傾向判定結果はともに「２」と認識され、また、２つのパラメータコードにおける傾向判定結果が一致していることから、傾向判定番号４に対応する傾向判定結果は「２」と認識される。
【０２０３】
これにより、プラント１３の現在の傾向、すなわち、プラント１３を構成する各種機器の現在の傾向や、プラント１３の機能の現在の傾向などを判定し、判定された複数の傾向判定結果を記憶することができる。
【０２０４】
次に、ユーザは、プラント情報提供装置１１の入力部３７を操作することにより、出力部３８のディスプレイに表示される複数のプラント画面のうち、所望のプラント画面を選択する。すなわち、ユーザは、プラント１３の特徴を表す複数の簡易的な系統図（例えば、プラント１３の「止める」、「冷やす」、「閉じ込める」などの機能ごとの複数の画面）のうち、例えばプラント１３の「止める」機能の画面（図２０のプラント画面）を選択する。
【０２０５】
ステップＳ３７において、入力データ取得部５５は、ユーザにより入力部３７に設けられたキーボードやマウスなどが操作されることにより入力されたプラント画面に関するデータを取得し、取得されたプラント画面の選択に関するデータをプラント画面選択部５６に供給する。
【０２０６】
ステップＳ３８において、プラント画面選択部５６は、入力データ取得部５５から供給されたプラント画面の選択に関するデータを取得し、取得されたプラント画面の選択に関するデータに基づいて、複数のプラント画面の中から、作成するプラント画面を選択し、選択されたプラント画面に関するデータであるプラント画面選択データをプラント画面作成部５７に供給する。
【０２０７】
ステップＳ３９において、プラント画面作成部５７は、プラント画面選択部５６から供給されたプラント画面選択データを取得し、取得されたプラント画面選択データに基づいて選択されたプラント画面を認識するとともに、補助記憶部５３のプラント画面情報記憶部６４に予め記憶されている複数のプラント画面情報の中から、複数のプラント画面のうち選択されたプラント画面に対応するプラント画面情報を読み出す。
【０２０８】
プラント画面情報には、プラント１３の特徴を表す簡易的な系統図に関する画面情報以外に、表示されるプラント画面上のどの位置にどの傾向判定番号の傾向判定結果を表示するか否かに関する画面情報などが含まれる。
【０２０９】
ステップＳ４０において、プラント画面作成部５７は、読み出されたプラント画面情報に基づいて、選択されたプラント画面に表示する傾向判定結果に対応する傾向判定番号を認識し、主記憶部５４に記憶されている複数の傾向判定結果のうち、日本語の文字列に変換する傾向判定結果（選択されたプラント画面に表示される傾向判定結果）に対応する傾向判定番号を指示する変換指示信号を生成し、生成された変換指示信号を変換部５８に供給する。
【０２１０】
この変換指示信号には、主記憶部５４に記憶されている複数の傾向判定結果のうち、日本語の文字列に変換する傾向判定結果に対応する傾向判定番号に関する情報が含まれる。なお、日本語の文字列に変換する傾向判定結果は複数でもよく、この場合、変換指示信号には、日本語の文字列に変換する複数の傾向判定結果に対応する複数の傾向判定番号に関する情報が含まれる。
【０２１１】
ステップＳ４１において、変換部５８は、プラント画面作成部５７から供給された変換指示信号に基づいて日本語の文字列に変換する傾向判定結果（選択されたプラント画面に表示される傾向判定結果）に対応する傾向判定番号を認識するとともに、認識された傾向判定番号に基づいて、主記憶部５４に記憶されている複数の傾向判定結果の中から日本語の文字列に変換する傾向判定結果を読み出す。
【０２１２】
ステップＳ４２において、変換部５８は、補助記憶部５３記憶されている日本語変換テーブルを読み出す。
【０２１３】
図１９は、補助記憶部５３に記憶されている日本語変換テーブルの構成を表している。
【０２１４】
図１９の日本語変換テーブル６３の第１列目乃至第Ｎ列目には、「傾向判定番号」、「設定値１／傾向判定結果／文字列」、「設定値２／傾向判定結果／文字列」、…が対応付けて記述されており、それぞれ、傾向判定結果を識別するための番号、設定値１における傾向判定結果を変換する日本語の文字列、設定値２における傾向判定結果を変換する日本語の文字列、…を示している。
【０２１５】
図１９の日本語変換テーブル６３の第１行目の場合、「傾向判定番号」は「１」であり、傾向判定結果を識別するための番号が「１」であることを示している。「設定値１／傾向判定結果／文字列」は「１／上昇（異常）」、「２／下降（改善）」、「３／上昇（正常）」、「４／下降（正常）」、および「０／安定」であり、それぞれ、設定値１における傾向判定結果１を変換する日本語の文字列が「上昇（異常）」であること、設定値１における傾向判定結果２を変換する日本語の文字列が「下降（改善）」であること、設定値１における傾向判定結果３を変換する日本語の文字列が「上昇（正常）」であること、設定値１における傾向判定結果４を変換する日本語の文字列が「下降（正常）」であること、および、設定値１における傾向判定結果０を変換する日本語の文字列が「安定」であることを示している。
【０２１６】
図１９の日本語変換テーブル６３の第４行目の場合、「傾向判定番号」は「４」であり、傾向判定結果を識別するための番号が「４」であることを示している。「設定値１／傾向判定結果／文字列」は「１／上昇（異常）」、「２／下降」、および「３／安定」であり、それぞれ、設定値１における傾向判定結果１を変換する日本語の文字列が「上昇（異常）」であること、設定値１における傾向判定結果２を変換する日本語の文字列が「下降」であること、および、設定値１における傾向判定結果３を変換する日本語の文字列が「安定」であることを示している。
【０２１７】
変換部５８は、主記憶部５４から読み出された傾向判定結果を日本語の文字列に変換し、日本語の文字列に変換後の傾向判定結果をプラント画面作成部５７に供給する。
【０２１８】
例えば図１８の第１行目の場合、傾向判定番号１に対応する傾向判定結果は「１」であり、図１９の日本語変換テーブル６３において傾向判定番号１に対応する傾向判定結果が「１」のときの「文字列」は「上昇（異常）」であることから、変換部５８では、傾向判定番号１に対応する傾向判定結果は「上昇（異常）」という日本語の文字列に変換される。
【０２１９】
また、例えば図１８の第４行目の場合、傾向判定番号４に対応する傾向判定結果は「２」であり、図１９の日本語変換テーブル６３において傾向判定番号４に対応する傾向判定結果が「２」のときの「文字列」は「下降」であることから、変換部５８では、傾向判定番号４に対応する傾向判定結果は「下降」という日本語の文字列に変換される。
【０２２０】
ステップＳ４４において、プラント画面作成部５７は、変換部５８から供給された日本語に変換後の傾向判定結果を取得し、取得された日本語に変換後の傾向判定結果と、読み出されたプラント画面情報に基づいてプラント画面を作成し、作成されたプラント画面に関するデータであるプラント画面作成データを表示制御部６１に供給する。
【０２２１】
ステップＳ４５において、表示制御部６１は、プラント画面作成部５７から供給されたプラント画面作成データを取得し、取得されたプラント画面作成データに基づく作成されたプラント画面を出力部３８のＣＲＴやＬＣＤなどからなるディスプレイに表示させる。出力部３８は、表示制御部６１の制御に従い、プラント画面作成データに基づく作成されたプラント画面を、出力部３８のＣＲＴやＬＣＤなどからなるディスプレイに表示する。
【０２２２】
図２０［Ａ］は、出力部３８に表示されるプラント画面の表示例を表している。
【０２２３】
図２０［Ａ］に示されるように、出力部３８に表示されるプラント画面の左上の表示領域a乃至cに「止める」、「冷やす」、および「閉じ込める」機能が表示され、プラント画面の中央の表示領域dにプラント１３の特徴を表す簡易的な系統図が表示される。
【０２２４】
プラント画面の中央の表示領域dの中には、さらに、プラント１３の現在の傾向を表示する表示領域m乃至oが設けられ、プラント１３の現在の傾向を示す傾向判定結果が日本語に変換されてそれぞれ表示される。
【０２２５】
図２０［Ａ］の例の場合、プラント画面の中央の表示領域dに設けられた表示領域m乃至oには、「安定」、「上昇（改善）」、および「全挿入」が表示されており、それぞれ、プラント１３内の原子炉の現在の傾向が安定していること、プラント１３内の原子炉の水位が上昇（改善）していること、および、原子炉を緊急停止する際に用いられる制御棒が全挿入されていることを示している。
【０２２６】
本発明の実施形態においては、プラントデータに基づいてプラント１３の現在の傾向を判定し、日本語変換テーブルを用いて日本語の文字列にその傾向判定結果を変換し、変換後の傾向判定結果をプラント画面に表示するようにしたので、プラント１３に関する知識が乏しい一般の人々であっても、プラント１３の現在の傾向、すなわち、プラント１３の状態が悪化方向であるのか、改善方向であるのかを容易に理解することができる。従って、プラントに関する情報を迅速に、かつ、分かりやすく提供することができる。
【０２２７】
次に、ユーザは、プラント情報提供装置１１の入力部３７（例えば図示せぬマウスなど）を操作することにより、出力部３８のディスプレイに表示される複数の傾向判定条件画面のうち、所望の傾向判定条件画面を選択する。すなわち、ユーザは、図２０［Ａ］に示されるプラント画面上の表示領域m乃至oのいずれかの領域の日本語の文字列をクリックする（マウスを内部方向に押圧する）。
【０２２８】
ステップＳ４６において、入力データ取得部５５は、ユーザにより入力部３７に設けられたキーボードやマウスなどが操作されることにより入力された傾向判定条件画面の選択に関するデータを取得し、取得された傾向判定条件画面の選択に関するデータを傾向判定条件画面選択部１０２に供給する。
【０２２９】
ステップＳ４７において、傾向判定条件画面選択部５９は、入力データ取得部５５から供給された傾向判定条件画面の選択に関するデータを取得し、取得された傾向判定条件画面の選択に関するデータに基づいて、複数の傾向判定条件画面の中から、作成する傾向判定条件画面を選択し、選択された傾向判定条件画面に関するデータである傾向判定条件画面選択データを傾向判定条件画面作成部１０３に供給する。
【０２３０】
例えば、ユーザにより入力部３７が操作されることにより、図２０［Ａ］に示されるプラント画面上の表示領域mの日本語の文字列がクリックされた（マウスを内部方向に押圧された）場合、プラント画面上の表示領域mに表示される原子炉に関する傾向判定結果に対応する傾向判定条件画面が選択される。
【０２３１】
ステップＳ４８において、傾向判定条件画面作成部１０３は、傾向判定条件画面選択部５９から供給された傾向判定条件画面選択データを取得し、取得された傾向判定条件画面選択データに基づいて選択された傾向判定条件画面を認識するとともに、補助記憶部５３の傾向判定条件画面情報記憶部１０６に予め記憶されている複数の傾向判定条件画面情報の中から、選択された傾向判定条件画面に対応する傾向判定条件画面情報を読み出す。
【０２３２】
傾向判定条件画面情報には、例えば、傾向判定結果に対応した画面レイアウトに関する画面情報や、表示する傾向判定結果に対応する傾向判定番号に関する情報などが含まれる。
【０２３３】
ステップＳ４９において、傾向判定条件画面作成部１０３は、読み出された傾向判定条件画面情報に基づいて、選択された傾向判定条件画面に表示される傾向判定結果に対応する傾向判定番号を認識し、主記憶部５４に記憶されている複数の傾向判定結果の中から、傾向判定条件画面に表示する傾向判定結果を読み出す。また、傾向判定条件作成部１０３は、補助記憶部５３のプラントデータデータベース１０４の中から、傾向判定条件画面に表示する傾向判定結果に対応するプラントデータを読み出す。
【０２３４】
ステップＳ５０において、傾向判定条件画面作成部１０３は、読みされた傾向判定条件画面に表示する傾向判定結果および対応するプラントデータと、読み出された傾向判定条件画面情報に基づいて傾向判定条件画面を作成し、作成された傾向判定条件画面に関するデータである傾向判定条件画面作成データを表示制御部６１に供給する。
【０２３５】
ステップＳ５１において、表示制御部６１は、傾向判定条件画面作成部１０３から供給された傾向判定条件画面作成データを取得し、取得された傾向判定条件画面作成データに基づく作成された傾向判定条件画面を出力部３８のＣＲＴやＬＣＤなどからなるディスプレイに表示させる。出力部３８は、表示制御部６１の制御に従い、傾向判定条件画面作成データに基づく作成された傾向判定条件画面を、プラント画面とは別に出力部３８のＣＲＴやＬＣＤなどからなるディスプレイに表示する。
【０２３６】
図２０［Ｂ］は、出力部３８に表示されるプラント画面の表示例を表している。
【０２３７】
図２０［Ｂ］に示されるように、出力部３８には、例えばグラフ形式の傾向判定条件画面が表示される。傾向判定条件画面のグラフ上には、傾向判定に使用されたデータ値と時刻、変動判定時間、設定値などが重畳して表示される。１つの傾向判定番号に対して複数のパラメータコードが設定されている場合には、ユーザが入力部３７を操作することにより、傾向判定条件画面上の「次」というアイコンをクリックすると、出力部３８に他のパラメータコードに関する傾向判定条件画面が表示される。
【０２３８】
これにより、プラント１３に関する知識が乏しい一般の人々を含めたユーザがプラント１３の傾向判定結果におけるパラメータのデータ値などの変動を閲覧したい場合に、プラント１３の傾向判定結果におけるパラメータのデータ値などの変動を表示することができ、プラント１３の現在の傾向（すなわち、プラント１３の状態が悪化方向であるのか、改善方向であるのか）をより詳細に理解することができる。従って、プラントに関する情報を迅速に提供することができる。
【０２３９】
ステップＳ５２において、入力データ取得部５５は、他のプラント画面の選択に関するデータを取得したか否かを判定する。
【０２４０】
ステップＳ５２において他のプラント画面の選択に関するデータを取得したと判定された場合、処理はステップＳ３８に戻り、ステップＳ３８以降の処理が繰り返される。
【０２４１】
一方、ステップＳ５２において他のプラント画面の選択に関するデータを取得していないと判定された場合、プラント情報提供処理は終了する。
【０２４２】
なお、本発明の第２の実施形態においても、本発明の第１の実施形態で図１０乃至１２を用いて説明した情報処理装置７０によるプロセスデータのデータ値のプラント情報提供装置１１への送信を行うようにしてもよい。
【０２４３】
ところで、図１に示されたプラント情報提供装置１１においては、何らかの手段により取得されたプラントデータに基づいてプラント１３の現在の状態を判定し、図１３に示されたプラント情報提供装置１１においては、何らかの手段により取得されたプラントデータに基づいてプラント１３の現在の傾向を判定するようにしたが、これらの状態判定結果と傾向判定結果を用いて、プラント１３の各機能における現在の事象の進展レベルと事象の進展方向を判定するようにしてもよい。以下、第３の実施形態について説明する。
【０２４４】
［第３の実施形態］
図２１は、本発明を適用したプラント情報提供システム１の第３の実施形態の概念的な構成を表している。なお、図１および図１３のプラント情報提供システム１の構成と対応するものについては、同一の符号を付してあり、その説明は繰り返しになるので省略する。
【０２４５】
状態・傾向・事象進展判定部１１１は、プラントデータ受信部２１からの通知に従い、データ蓄積部９１に蓄積されたプラントデータを読み出し、予め記憶されている状態判定テーブル２４の内容を参照して、読み出されたプラントデータに基づいてプラント１３−１乃至１３−４の現在の状態を判定し、状態判定結果２５に格納するとともに、画面表示部２６に通知する。
【０２４６】
また、状態・傾向・事象進展判定部１１１は、プラントデータ受信部２１からの通知に従い、データ蓄積部９１に蓄積されたプラントデータを読み出し、予め記憶されている傾向判定テーブル９３の内容を参照して、読み出されたプラントデータに基づいてプラント１３−１乃至１３−４の現在の傾向を判定し、傾向判定結果９４に格納するとともに、画面表示部２６に通知する。
【０２４７】
さらに、状態・傾向・事象進展判定部１１１は、プラントデータ受信部２１からの通知に従い、状態判定結果２５と傾向判定結果９４を読み出し、予め記憶されている事象進展判定テーブル１１２を参照して、読み出された状態判定結果２５と傾向判定結果９４に基づいてプラント１３−１乃至１３−４の現在の事象進展レベルと事象進展方向を判定し、事象進展判定結果１１３に格納するとともに、画面表示部２６に通知する。
【０２４８】
画面表示部２６は、事象進展判定結果１１３の内容に基づいてプラント１３−１乃至１３−４の「止める」、「冷やす」、および「閉じ込める」の各機能に関する事象の事象進展レベルと事象進展方向を表示する。
【０２４９】
なお、本発明の第３の実施形態におけるプラント情報提供装置１１の内部の機械的な構成については、図２の構成と基本的には同様であり、その説明は繰り返しになるので省略する。
【０２５０】
図２２は、本発明に係るプラント情報提供装置１１が実行することができる機能的な構成を表している。なお、図３および図１４の構成と対応するものについては、同一の符号を付しており、その説明は繰り返しになるので省略する。
【０２５１】
事象進展判定部１１６は、主記憶部５４に記憶されている状態判定結果と傾向判定結果を読み出すとともに、補助記憶部５３に予め記憶されている事象進展判定テーブル１１９を読み出す。事象進展判定部１１６は、読み出された事象進展判定テーブル１１９を参照して、読み出された状態判定結果と傾向判定結果に基づいてプラント１３の各機能に関する事象の現在の事象進展レベルと事象進展方向を判定し、その事象進展判定結果を主記憶部５４に供給する。
【０２５２】
状態・傾向判定条件画面選択部１１７は、入力データ取得部５５から供給された状態・傾向判定条件画面の選択に関するデータを取得し、取得された状態・傾向判定条件画面の選択に関するデータに基づいて、複数の状態・傾向判定条件画面の中から、作成する状態・傾向判定条件画面を選択し、選択された状態・傾向判定条件画面に関するデータである状態・傾向判定条件画面選択データを状態・傾向判定条件画面作成部１１８に供給する。
【０２５３】
状態・傾向判定条件画面作成部１１８は、状態・傾向判定条件画面選択部１１７から供給された状態・傾向判定条件画面選択データを取得し、取得された状態・傾向判定条件画面選択データに基づいて選択された状態・傾向判定条件画面を認識するとともに、補助記憶部５３の状態・傾向判定条件画面情報記憶部１２０に予め記憶されている複数の状態・傾向判定条件画面情報の中から、選択された状態・傾向判定条件画面に対応する状態・傾向判定条件画面情報を読み出す。
【０２５４】
状態・傾向判定条件画面作成部１１８は、主記憶部５４に記憶されている複数の状態判定結果および傾向判定結果の中から状態・傾向判定条件画面に表示する状態判定結果および傾向判定結果を読み出し、読みされた状態判定結果および傾向判定結果と、読み出された状態・傾向判定条件画面情報に基づいて状態・傾向判定条件画面を作成し、作成された状態・傾向判定条件画面に関するデータである状態・傾向判定条件画面作成データを表示制御部６１に供給する。
【０２５５】
補助記憶部５３は、事象進展判定テーブル１１９を記憶するとともに、状態・傾向判定条件画面情報記憶部１２０を有する。
【０２５６】
事象進展判定テーブル１１９は、プラント１３において刻々と進展する事象、プラント１３の各機能が損なわれていると判断すべき状態判定番号とその状態判定結果、および、プラント１３の各機能に関する事象の進展方向を判断するときの傾向判定番号とその傾向判定結果が予め対応付けられて登録されている。
【０２５７】
状態・傾向判定条件画面情報記憶部１２０は、プラント１３の現在の事象進展などを表示する際に必要に応じて表示される状態・傾向判定条件画面に関する画面情報（状態・傾向判定条件画面情報）を予め記憶している。状態・傾向判定条件画面情報には、例えば、状態・傾向判定結果に対応した画面レイアウトに関する画面情報や、表示するパラメータに対応するパラメータコードとその表示位置に関する画面情報などが含まれる。
【０２５８】
次に、図２３と図２４のフローチャートを参照して、図２２におけるプラント情報提供処理について説明する。
【０２５９】
ステップＳ６１において、プラントデータ取得部５１は、例えば無線（放送電波など）やネットワーク１２などを介した後通信部４０を介してプラント１３から送信されたプラント１３に関するデータであるプラントデータ、または、ドライブ４１を介して磁気ディスク４２、光ディスク４３、光磁気ディスク４４、および半導体メモリ４５から供給されたプラント１３に関するデータであるプラントデータを逐次取得し、取得されたプラントデータを補助記憶部５３のプラントデータデータベース１０４に逐次供給する。なお、プラントデータのデータ構造については、図５のデータ構造と同様であり、その説明は繰り返しになるので省略する。
【０２６０】
また、プラントデータ取得部５１は、新たなプラントデータが取得された旨を傾向判定部１０１に通知する。
【０２６１】
ステップＳ６２において、補助記憶部５３のプラントデータデータベース１０４は、プラントデータ取得部５１から供給されたプラントデータを逐次取得し、取得されたプラントデータをプラント１３ごとに時系列的に逐次記憶し、プラントデータデータベース１０４に管理されるデータベースを更新する。
【０２６２】
ステップＳ６３において、状態判定部５２は、プラントデータ取得部５１からの新たなプラントデータが取得された旨の通知に従い、補助記憶部５３に記憶されているプラントデータデータベース１０４に登録されている最新のプラントデータを読み出す。
【０２６３】
ステップＳ６４において、状態判定部５２は、補助記憶部５３に予め記憶されている状態判定テーブル６２を読み出す。なお、この状態判定テーブル６２の構成については、図６に示された状態判定テーブル６２の構成と同様であり、その説明は繰り返しになるので省略する。
【０２６４】
ステップＳ６５において、状態判定部５２は、読み出された状態判定テーブル６２を参照して、読み出されたプラントデータデータベース１０４に登録されている最新のプラントデータに基づいてプラント１３の現在の状態（すなわち、プラント１３を構成する各種機器の現在の状態や、プラント１３の機能の現在の状態など）を判定する。状態判定部５２は、その状態判定結果を主記憶部５４に供給する。
【０２６５】
ステップＳ６６において、主記憶部５４は、状態判定部５２から供給された状態判定結果を取得し、取得された状態判定結果を適宜記憶する。なお、主記憶部５４に記憶されている状態判定結果の構成については、図７の構成と基本的には同様であり、その説明は繰り返しになるので省略する。
【０２６６】
ステップＳ６７において、傾向判定部１０１は、補助記憶部５３に記憶されているプラントデータデータベース１０４を読み出す。
【０２６７】
ステップＳ６８において、傾向判定部１０１は、補助記憶部５３に予め記憶されている傾向判定テーブル１０５を読み出す。なお、この傾向判定テーブル１０５の構成については、図１７に示された傾向判定テーブル１０５の構成と同様であり、その説明は繰り返しになるので省略する。
【０２６８】
ステップＳ６９において、傾向判定部１０１は、読み出された傾向判定テーブル１０５を参照して、読み出されたプラントデータデータベース１０４に基づいてプラント１３の現在の傾向を判定する。傾向判定部１０１は、その傾向判定結果を主記憶部５４に供給する。
【０２６９】
ステップＳ７０において、主記憶部５４は、傾向判定部１０１から供給された傾向判定結果を取得し、取得された傾向判定結果を適宜記憶する。なお、主記憶部５４に記憶されている傾向判定結果の構成については、図１８の構成と基本的には同様であり、その説明は繰り返しになるので省略する。
【０２７０】
ステップＳ７１において、事象進展判定部１１６は、主記憶部５４に記憶されている状態判定結果と傾向判定結果を読み出すとともに、補助記憶部５３に予め記憶されている事象進展判定テーブル１１９を読み出す。
【０２７１】
図２５は、補助記憶部５３に予め記憶されている事象進展判定テーブル１１９の構成例を表している。
【０２７２】
図２５の事象進展テーブル１１９の第１列目乃至第３列目には、「進展事象」、「状態判定／状態判定番号／状態判定結果」、および「傾向判定／傾向判定番号／傾向判定結果」が対応付けて記述されており、それぞれ、プラント１３において刻々と進展する事象、プラント１３における各機能が損なわれていると判断すべき状態判定番号とその状態判定結果、および、プラント１３の各機能に関する事象の進展方向を判断するときの傾向判定番号とその傾向判定結果を示している。
【０２７３】
図２５の事象進展テーブル１１９の第１行目の場合、「進展事象」は「止める」であり、プラント１３において刻々と進展する事象が「止める」であることを示している。「状態判定／状態判定番号／状態判定結果」は「１／１」と「２／１」であり、プラント１３における「止める」機能が損なわれていると判断すべき状態判定番号とその状態判定結果が、状態判定番号１と状態判定結果１、および、状態判定番号２と状態判定結果１であることを示している。「傾向判定／傾向判定番号／傾向判定結果」は「１／１」と「２／２」であり、プラント１３における「止める」機能に関する事象の進展方向を判断するときの傾向判定番号とその傾向判定結果が、傾向判定番号１と傾向判定結果１、および、傾向判定番号２と傾向判定結果１であることを示している。
【０２７４】
なお、図２５の第２行目以降については、第１行目と同様であり、その説明は繰り返しになるので省略する。
【０２７５】
また、図２５の事象進展判定テーブル１１９においては、プラント１３における「止める」機能が損なわれていると判断すべき状態判定番号とその状態判定結果、または、プラント１３における「止める」機能に関する事象の進展方向を判断するときの傾向判定番号とその傾向判定結果として２組ずつ定義するようにしたが、このような場合に限られず、１つまたは３つ以上の組を定義するようにしてもよい。
【０２７６】
ステップＳ７３において、事象進展判定部１１６は、読み出された事象進展判定テーブル１１９を参照して、読み出された状態判定結果と傾向判定結果に基づいてプラント１３の各機能に関する事象の現在の事象進展レベルと事象進展方向を判定する。
【０２７７】
すなわち、事象進展判定部１１６は、読み出された状態判定結果が、事象進展判定テーブル１１９に予め対応付けられて登録されている、プラント１３における「止める」機能が損なわれていると判断すべき傾向判定番号とその傾向判定結果（図２５の場合、状態判定番号１と状態判定結果１、および状態判定番号２と状態判定結果１）に該当するか否かにより、プラント１３の「止める」機能に関する事象の現在の事象進展レベルを判定する（プラント１３で刻々と進展する事象において機能が維持されているかなどを判定する）。
【０２７８】
具体的には、事象進展判定テーブル１１９に予め対応付けられて登録されている、プラント１３における「止める」機能が損なわれていると判断すべき状態判定番号とその状態判定結果（図２５の場合、状態判定番号１と状態判定結果１、および状態判定番号２と状態判定結果１など）に該当するものがひとつもない場合、プラント１３で刻々と進展する事象において「止める」機能が維持されているかなどを判定され、状態判定結果に基づく事象進展レベルが「０」であると判定される。これらに該当するものが１つ以上ある場合、プラント１３で刻々と進展する事象において「止める」機能が一部不全であると判定され、状態判定結果に基づく事象進展レベルが「１」であると判定される。これら全てに該当する場合、プラント１３で刻々と進展する事象において「止める」機能が不全であると判定され、状態判定結果に基づく事象進展レベルが「２」であると判定される。
【０２７９】
一方、事象進展判定部１１６は、読み出された傾向判定結果のうち、事象進展判定テーブル１１９に予め対応付けられて登録されている、プラント１３における「止める」機能に関する事象の進展方向を判断するときの傾向判定番号とその傾向判定結果（図２５の場合、傾向判定番号１と傾向判定結果１、および傾向判定番号２と傾向判定結果１）に該当するものがあるか否かにより、プラント１３の「止める」機能に関する事象の進展方向が悪化方向であるか改善方向であるかを判定する。
【０２８０】
すなわち、図２６［Ａ］および［Ｂ］に示されるように、プラント１３の機能に関する事象が「止める」→「冷やす」→「閉じ込める」のように進展する場合、プラント１３の機能に関する事象の進展方向が悪化方向であると判定される。一方、プラント１３の機能に関する事象が「閉じ込める」→「冷やす」→「止める」のように進展する場合、プラント１３の機能に関する事象の進展方向が改善方向であると判定される。
【０２８１】
具体的には、事象進展判定テーブル１１９に予め対応付けられて登録されている、プラント１３の機能に関する事象の進展方向を判断するときの傾向判定番号とその傾向判定結果（図２５の場合、傾向判定番号１と傾向判定結果１、および傾向判定番号２と傾向判定結果２など）に該当するものがある場合、プラント１３の機能に関する事象の進展方向が悪化方向であると判定され、傾向判定結果に基づく事象進展方向が「１」であると判定される。これらに該当するものはあるが、悪化しているのか改善しているのか判断できない場合やプラント１３の機能に関する事象が変動していない場合、プラント１３の機能に関する事象が変動していないと判定され、傾向判定結果に基づく事象進展方向が「０」であると判定される。これらに該当するものがない場合、プラント１３の機能に関する事象の進展方向が改善方向であると判定され、傾向判定結果に基づく事象進展方向が「−１」であると判定される。
【０２８２】
事象進展判定部１１６は、その事象進展判定結果を主記憶部５４に供給する。
【０２８３】
ステップＳ７４において、主記憶部５４は、事象進展判定部１１６から供給された事象進展判定結果を取得し、取得された事象進展判定結果を記憶する。
【０２８４】
図２７は、主記憶部５４に記憶されている事象進展結果の構成例を表している。
【０２８５】
図２７の事象進展結果の第１列目乃至第３列目には、「進展事象」、「状態判定結果に基づく事象進展レベル」、および「傾向判定結果に基づく事象進展方向」が対応付けられて記述されており、それぞれ、プラント１３において刻々と進展する事象、状態判定結果を用いて判定された事象進展レベル、および、傾向判定結果を用いて判定された事象進展方向を示している。
【０２８６】
図２７の事象進展判定結果の第１行目の場合、「進展事象」は「止める」であり、プラント１３において刻々と進展する事象が「止める」であることを示している。「状態判定結果に基づく事象進展レベル」は「１」であり、状態判定結果を用いて判定された事象進展レベルが「１」であること（すなわち、プラント１３で刻々と進展する事象において「止める」機能が一部不全であること）を示している。「傾向判定結果に基づく事象進展方向」は「１」であり、傾向判定結果を用いて判定された事象進展方向が「１」であること（すなわち、プラント１３の「止める」機能に関する事象の進展方向が悪化方向であること）を示している。
【０２８７】
図２７の事象進展判定結果の第２行目の場合、「進展事象」は「冷やす」であり、プラント１３において刻々と進展する事象が「冷やす」であることを示している。「状態判定結果に基づく事象進展レベル」は「０」であり、状態判定結果を用いて判定された事象進展レベルが「０」であること（すなわち、プラント１３で刻々と進展する事象において「冷やす」機能が維持されていること）を示している。「傾向判定結果に基づく事象進展方向」は「０」であり、傾向判定結果を用いて判定された事象進展方向が「０」であること（すなわち、プラント１３の「冷やす」機能に関する事象が変動していないこと）を示している。
【０２８８】
図２７の事象進展判定結果の第３行目の場合、「進展事象」は「閉じ込める」であり、プラント１３において刻々と進展する事象が「閉じ込める」であることを示している。「状態判定結果に基づく事象進展レベル」は「０」であり、状態判定結果を用いて判定された事象進展レベルが「０」であること（すなわち、プラント１３で刻々と進展する事象において「閉じ込める」機能が維持されていること）を示している。「傾向判定結果に基づく事象進展方向」は「０」であり、傾向判定結果を用いて判定された事象進展方向が「０」であること（すなわち、プラント１３の「閉じ込める」機能に関する事象が変動していない）を示している。
【０２８９】
次に、ユーザは、プラント情報提供装置１１の入力部３７を操作することにより、出力部３８のディスプレイに表示される複数のプラント画面のうち、所望のプラント画面を選択する。すなわち、ユーザは、プラント１３の特徴を表す複数の簡易的な系統図（例えば、プラント１３の「止める」、「冷やす」、「閉じ込める」などの機能ごとの複数の画面）のうち、例えばプラント１３の「止める」機能の画面（図２８のプラント画面）を選択する。
【０２９０】
ステップＳ７５において、入力データ取得部５５は、ユーザにより入力部３７に設けられたキーボードやマウスなどが操作されることにより入力されたプラント画面に関するデータを取得し、取得されたプラント画面の選択に関するデータをプラント画面選択部５６に供給する。
【０２９１】
ステップＳ７６において、プラント画面選択部５６は、入力データ取得部５５から供給されたプラント画面の選択に関するデータを取得し、取得されたプラント画面の選択に関するデータに基づいて、複数のプラント画面の中から、作成するプラント画面を選択し、選択されたプラント画面に関するデータであるプラント画面選択データをプラント画面作成部５７に供給する。
【０２９２】
ステップＳ７７において、プラント画面作成部５７は、プラント画面選択部５６から供給されたプラント画面選択データを取得し、取得されたプラント画面選択データに基づいて選択されたプラント画面を認識するとともに、補助記憶部５３のプラント画面情報記憶部６４に予め記憶されている複数のプラント画面情報の中から、複数のプラント画面のうち選択されたプラント画面に対応するプラント画面情報を読み出す。
【０２９３】
プラント画面情報には、プラント１３の特徴を表す簡易的な系統図に関する画面情報以外に、表示されるプラント画面上のどの位置にどの状態判定番号に対応する状態判定結果と傾向判定番号に対応する傾向判定結果を表示するか否かに関する画面情報などが含まれる。
【０２９４】
ステップＳ７８において、プラント画面作成部５７は、読み出されたプラント画面情報に基づいて、選択されたプラント画面に表示する状態判定結果または傾向判定結果に対応する状態判定番号と傾向判定番号を認識し、主記憶部５４に記憶されている複数の状態判定番号と傾向判定結果のうち、日本語の文字列に変換する状態判定結果と傾向判定結果（選択されたプラント画面に表示される状態判定結果と傾向判定結果）に対応する状態判定番号と傾向判定番号を指示する変換指示信号を生成し、生成された変換指示信号を変換部５８に供給する。
【０２９５】
この変換指示信号には、主記憶部５４に記憶されている複数の状態判定結果または傾向判定結果のうち、日本語の文字列に変換する状態判定結果と傾向判定結果に対応する状態判定番号と傾向判定番号に関する情報が含まれる。なお、日本語の文字列に変換する状態判定結果と傾向判定結果は複数でもよく、この場合、変換指示信号には、日本語の文字列に変換する複数の状態判定結果と傾向判定結果に対応する複数の状態判定番号と傾向判定番号に関する情報が含まれる。
【０２９６】
ステップＳ７９において、変換部５８は、プラント画面作成部５７から供給された変換指示信号に基づいて日本語の文字列に変換する状態判定結果と傾向判定結果（選択されたプラント画面に表示される状態判定結果と傾向判定結果）に対応する状態判定番号と傾向判定番号を認識するとともに、認識された状態判定番号と傾向判定番号に基づいて、主記憶部５４に記憶されている複数の状態判定結果と傾向判定結果の中から日本語の文字列に変換する状態判定結果と傾向判定結果を読み出す。
【０２９７】
ステップＳ８０において、変換部５８は、補助記憶部５３に予め記憶されている日本語変換テーブル６３を読み出す。なお、補助記憶部５３に予め記憶されている日本語変換テーブル６３の構成は、図８と１９の構成を２つとも有する構成となっており、その説明は繰り返しになるので省略する。
【０２９８】
変換部５８は、主記憶部５４から読み出された状態判定結果と傾向判定結果を日本語の文字列に変換し、日本語の文字列に変換後の状態判定結果と傾向判定結果をプラント画面作成部５７に供給する。
【０２９９】
ステップＳ８２において、プラント画面作成部５７は、主記憶部５４に記憶されている事象進展判定結果を読み出す。
【０３００】
ステップＳ８３において、プラント画面作成部５７は、変換部５８から供給された日本語の文字列に変換後の状態判定結果および傾向判定結果を取得し、取得された日本語の文字列に変換後の状態判定結果および傾向判定結果と、読み出されたプラント画面情報と事象進展判定結果に基づいてプラント画面を作成し、作成されたプラント画面に関するデータであるプラント画面作成データを表示制御部６１に供給する。
【０３０１】
ステップＳ８４において、表示制御部６１は、プラント画面作成部５７から供給されたプラント画面作成データを取得し、取得されたプラント画面作成データに基づく作成されたプラント画面を出力部３８のＣＲＴやＬＣＤなどからなるディスプレイに表示させる。出力部３８は、表示制御部６１の制御に従い、プラント画面作成データに基づく作成されたプラント画面を、出力部３８のＣＲＴやＬＣＤなどからなるディスプレイに表示する。
【０３０２】
図２８［Ａ］は、出力部３８に表示されるプラント画面の表示例を表している。
【０３０３】
図２８［Ａ］に示されるように、出力部３８に表示されるプラント画面の左上の表示領域a乃至cに「止める」、「冷やす」、および「閉じ込める」機能が表示され、状態判定結果に基づく事象進展レベルに応じて、機能が維持されている事象進展レベルの方から黒、黄色、赤で表示されるとともに、傾向判定結果に基づく事象進展方向に応じて、プラント１３の機能に関する事象の進展方向が矢印で表示され、悪化方向である場合には黄色で、改善方向である場合には緑で表示される。また、プラント画面の中央の表示領域dにプラント１３の特徴を表す簡易的な系統図が表示される。
【０３０４】
プラント画面の中央の表示領域dの中には、さらに、プラント１３の現在の状態・傾向を表示する表示領域q乃至sが設けられ、プラント１３の現在の状態・傾向を示す状態・傾向判定結果が日本語の文字列に変換されてそれぞれ表示される。
【０３０５】
図２８［Ａ］の例の場合、プラント画面の中央の表示領域dに設けられた表示領域q乃至sには、「停止・安定」、「平常値・上昇（改善）」、および「全挿入」が表示されており、それぞれ、プラント１３内の原子炉の現在の状態が停止しており、かつ、傾向が安定していること、プラント１３内の原子炉の水位が平常値であり、かつ、上昇（改善）していること、および、原子炉を緊急停止する際に用いられる制御棒が全挿入されていることを示している。
【０３０６】
なお、図２８［Ａ］の表示領域aにおける色調と表示領域q乃至sにおける色調は一致するようにする。これにより、プラント１３の事象の進展度合いと、プラント１３の状態・傾向を同時に理解しやすいプラント画面を表示することができる。
【０３０７】
本発明の実施形態においては、「止める」、「冷やす」、および「閉じ込める」機能などの分かりやすい表現を用いて、プラント１３の機能に関する事象の進展レベルや進展方向が悪化方向か改善方向かを示すようにしたので、プラント１３に関する知識が乏しい一般の人々であっても、プラント１３の現在の事象の進展方向を容易に理解することができる。従って、プラントに関する情報を迅速に、かつ、分かりやすく提供することができる。
【０３０８】
図２９［Ａ］および［Ｂ］は、出力部３８に表示されるプラント画面の他の表示例を表している。
【０３０９】
図２９［Ａ］に示されるように、プラント画面の中央の表示領域dの中には、さらに、プラント１３の現在の状態・傾向を表示する表示領域t乃至vが設けられ、状態判定結果に応じて表示領域t乃至vにおいて、例えば異常値が赤、正常値が緑でデータ値が異なる色調で表示される。また、傾向判定結果に応じて、表示領域t乃至ｖにおいて、データ値の近傍に傾向を示す矢印αやβなどが表示される。なお、図３０に示されるように、矢印αやβなどではなく、小型グラフγやδをデータ値の近傍に表示するようにしてもよい。
【０３１０】
本発明の実施形態においては、プラント画面上に表示される状態判定結果や傾向判定結果を色調や記号、グラフなどを用いて視覚的により理解しやすいように表示するようにしたので、プラント１３に関する知識が乏しい一般の人々であっても、プラント１３の現在の状態や傾向、並びに事象の進展レベルおよび進展方向をより容易に理解することができる。従って、プラントに関する情報をより迅速に、かつ、分かりやすく提供することができる。
【０３１１】
次に、ユーザは、プラント情報提供装置１１の入力部３７（例えば図示せぬマウスなど）を操作することにより、出力部３８のディスプレイに表示される複数の傾向判定条件画面のうち、所望の傾向判定条件画面を選択する。すなわち、ユーザは、図２８に示されるプラント画面上の表示領域q乃至sのいずれかの領域の日本語の文字列をクリックする（マウスを内部に押下する）。
【０３１２】
ステップＳ８５において、入力データ取得部５５は、ユーザにより入力部３７に設けられたキーボードやマウスなどが操作されることにより入力された状態・傾向判定条件画面の選択に関するデータを取得し、取得された状態・傾向判定条件画面の選択に関するデータを状態・傾向判定条件画面選択部１１７に供給する。
【０３１３】
ステップＳ８６において、状態・傾向判定条件画面選択部１１７は、入力データ取得部５５から供給された状態・傾向判定条件画面の選択に関するデータを取得し、取得された状態・傾向判定条件画面の選択に関するデータに基づいて、複数の状態・傾向判定条件画面の中から、作成する状態・傾向判定条件画面を選択し、選択された状態・傾向判定条件画面に関するデータである状態・傾向判定条件画面選択データを状態・傾向判定条件画面作成部１１８に供給する。
【０３１４】
ステップＳ８７において、状態・傾向判定条件画面作成部１１７は、状態・傾向判定条件画面選択部１１８から供給された状態・傾向判定条件画面選択データを取得し、取得された状態・傾向判定条件画面選択データに基づいて選択された状態・傾向判定条件画面を認識するとともに、補助記憶部５３の状態・傾向判定条件画面情報記憶部１２０に予め記憶されている複数の状態・傾向判定条件画面情報の中から、選択された状態・傾向判定条件画面に対応する状態・傾向判定条件画面情報を読み出す。
【０３１５】
状態・傾向判定条件画面情報には、例えば、状態・傾向判定結果に対応した画面レイアウトに関する画面情報や、表示する状態・傾向判定結果に対応する状態判定番号と傾向判定番号に関する情報などが含まれる。
【０３１６】
ステップＳ８８において、状態・傾向判定条件画面作成部１１８は、読み出された状態・傾向判定条件画面情報に基づいて、選択された状態・傾向判定条件画面に表示される状態・傾向判定結果に対応する状態・傾向判定番号を認識し、主記憶部５４に記憶されている複数の状態・傾向判定結果の中から、状態・傾向判定条件画面に表示する状態・傾向判定結果を読み出す。
【０３１７】
ステップＳ８９において、状態・傾向判定条件画面作成部１１８は、読みされた状態・傾向判定条件画面に表示する状態・傾向判定結果と、読み出された状態・傾向判定条件画面情報に基づいて状態・傾向判定条件画面を作成し、作成された状態・傾向判定条件画面に関するデータである状態・傾向判定条件画面作成データを表示制御部６１に供給する。
【０３１８】
ステップＳ９０において、表示制御部６１は、状態・傾向判定条件画面作成部１１８から供給された状態・傾向判定条件画面作成データを取得し、取得された状態・傾向判定条件画面作成データに基づく作成された状態・傾向判定条件画面を出力部３８のＣＲＴやＬＣＤなどからなるディスプレイに表示させる。出力部３８は、表示制御部６１の制御に従い、状態・傾向判定条件画面作成データに基づく作成された状態・傾向判定条件画面を、プラント画面とは別に出力部３８のＣＲＴやＬＣＤなどからなるディスプレイに表示する。
【０３１９】
図２８［Ａ］に示されるように、表示領域hに、例えば表示領域qに対応する状態判定結果に関するパラメータのデータ値が、そのパラメータについて予め設定された設定値（図６の状態判定テーブル６２の設定値１、設定値２など）とともに表示される。
【０３２０】
また、図２９［Ａ］に示されるように、表示領域wを設け、変換部５８において状態判定結果を日本語の短文（例えば、「原子炉は停止しています。」など）に変換して状態判定結果とともに表示するようにしてもよい。
【０３２１】
さらに、図２８［Ｂ］や図２９［Ｂ］に示されるように、出力部３８には、例えばグラフ形式の状態・傾向判定条件画面が表示される。状態・傾向判定条件画面のグラフ上には、状態・傾向判定に使用されたデータ値と時刻（ｔ）、変動判定時間、設定値などが重畳して表示される。１つの傾向判定番号に対して複数のパラメータコードが設定されている場合には、ユーザが入力部３７を操作することにより、状態・傾向判定条件画面上の「次」というアイコンをクリックすると、出力部３８に他のパラメータコードに関する状態・傾向判定条件画面が表示される。
【０３２２】
なお、プラント画面情報記憶部６４に記憶されているプラント画面情報に、所定のパラメータに関して予め定義された色分け境界値と背景となる色調に関する情報を含めるようにし、図３１に示されるように、プラントデータデータベース１０４を参照して、平常範囲を「緑」、注意範囲を「黄色」、異常範囲を「赤」の背景にしてグラフ表示するようにしてもよい。
【０３２３】
なお、背景に用いる色調をグラデーションにして、境界値に近づくにつれて色調を変更するようにしてもよい。また、同時に、グラフの線の色、線の種類なども境界値を境に変更するようにしてもよい。
【０３２４】
これにより、プラント１３に関する知識が乏しい一般の人々であっても、プラント１３の現在の状態をより容易に理解することができる。従って、プラントに関する情報をより迅速に、かつ、分かりやすく提供することができる。
【０３２５】
ステップＳ９１において、入力データ取得部５５は、他のプラント画面の選択に関するデータを取得したか否かを判定する。
【０３２６】
ステップＳ９１において他のプラント画面の選択に関するデータを取得したと判定された場合、処理はステップＳ７６に戻り、ステップＳ７６以降の処理が繰り返される。
【０３２７】
一方、ステップＳ９１において他のプラント画面の選択に関するデータを取得していないと判定された場合、プラント情報提供処理は終了する。
【０３２８】
なお、本発明の第３の実施形態においても、本発明の第１の実施形態で図１０乃至１２を用いて説明した情報処理装置７０によるプロセスデータのデータ値のプラント情報提供装置１１への送信を行うようにしてもよい。
【０３２９】
また、本発明の実施形態においては、状態判定結果や傾向判定結果などを日本語変換テーブル６３を用いて、日本語の文字列に変換するようにしたが、このような場合に限られず、例えば日本語以外の言語（例えば、英語など）の文字列に変換するようにしてもよいし、ユーザが理解することができるグラフィックなどを用いたアイコンなどに変換するようにしてもよい。日本語の文字列やグラフィックなどを用いたアイコンなどを「指示情報」と定義し、状態判定結果を変換した場合の「指示情報」を「状態指示情報」と定義し、傾向判定結果を変換した場合の「指示情報」を「傾向指示情報」と定義する。
【０３３０】
なお、本発明の実施形態において説明した一連の処理は、ソフトウェアにより実行させることもできるが、ハードウェアにより実行させることもできる。
【０３３１】
また、本発明の実施形態では、フローチャートのステップは、記載された順序に沿って時系列的に行われる処理の例を示したが、必ずしも時系列的に処理されなくとも、並列的あるいは個別に実行される処理をも含むものである。
【図面の簡単な説明】
【０３３２】
【図１】本発明を適用したプラント情報提供システム１の第１の実施形態における概念的な構成を示す図。
【図２】本発明に係るプラント情報提供装置の内部の機械的な構成を示すブロック図。
【図３】本発明に係るプラント情報提供装置が実行することができる機能的な構成を示すブロック図。
【図４】図３のプラント情報提供装置におけるプラント情報提供処理を説明するフローチャート。
【図５】プラントデータのデータ構造を説明する図。
【図６】図３の補助記憶部に予め記憶されている状態判定テーブルの構成例を示す図。
【図７】図３の主記憶部に記憶されている状態判定結果の構成例を示す図。
【図８】図３の補助記憶部に予め記憶されている日本語変換テーブルの構成例を示す図。
【図９】図２の出力部に表示されるプラント画面の表示例を示す図。
【図１０】本発明を適用したプラント情報提供システム１の第１の実施形態における他の概略的な構成を示す図。
【図１１】図１０の情報処理装置として適用可能なパーソナルコンピュータの内部の構成を示すブロック図。
【図１２】図１１のパーソナルコンピュータの出力部に表示される入力支援画面の表示例を示す図。
【図１３】本発明を適用したプラント情報提供システム１の第２の実施形態における概念的な構成を示す図。
【図１４】本発明に係るプラント情報提供装置が実行することができる機能的な構成を示すブロック図。
【図１５】図１４のプラント情報提供装置におけるプラント情報提供処理を説明するフローチャート。
【図１６】図１４の補助記憶部に記憶されているプラントデータデータベースの構成を示す図。
【図１７】図１４の補助記憶部に予め記憶されている傾向判定テーブルの構成例を示す図。
【図１８】図１４の主記憶部に記憶されている傾向判定結果の構成例を示す図。
【図１９】図１４の補助記憶部に予め記憶されている日本語変換テーブルの構成例を示す図。
【図２０】出力部に表示されるプラント画面と傾向判定条件画面の表示例を示す図。
【図２１】本発明を適用したプラント情報提供システム１の第３の実施形態における概念的な構成を示す図。
【図２２】本発明に係るプラント情報提供装置が実行することができる機能的な構成を示すブロック図。
【図２３】図２２のプラント情報提供装置におけるプラント情報提供処理を説明するフローチャート。
【図２４】図２２のプラント情報提供装置におけるプラント情報提供処理を説明するフローチャート。
【図２５】図２２の補助記憶部に予め記憶されている事象進展判定テーブルの構成例を示す図。
【図２６】図２２の事象進展判定部における事象の進展方向の判定方法を説明する図。
【図２７】図２２の主記憶部に記憶されている事象進展判定結果の構成例を示す図。
【図２８】出力部に表示されるプラント画面と状態・傾向判定条件画面の表示例を示す図。
【図２９】出力部に表示されるプラント画面と状態・傾向判定条件画面の他の表示例を示す図。
【図３０】出力部に表示されるプラント画面と状態・傾向判定条件画面の他の表示例を示す図。
【図３１】出力部に表示される状態・傾向判定条件画面の他の表示例を示す図。
【符号の説明】
【０３３３】
１…プラント情報提供システム、１１…プラント情報提供装置、１２…ネットワーク、１３−１乃至１３−４…プラント、２１…プラントデータ受信部、２２…データ取得部、２３…状態判定部、２４…状態判定テーブル、２５…状態判定結果、２６…画面表示部、２７…画面選択部、２８…プラント画面情報、２９…日本語変換テーブル、３０…状態判定条件画面情報、３１…状態判定条件画面表示部、３２…ＣＰＵ，３３…ＲＯＭ、３４…ＲＡＭ、３５…バス、３６…入出力インタフェース、３７…入力部、３８…出力部、３９…記憶部、４０…通信部、４１…ドライブ、４２…磁気ディスク、４３…光ディスク、４４…光磁気ディスク、４５…半導体メモリ、５１…プラントデータ取得部、５２、状態判定部、５３…補助記憶部、５４…主記憶部、５５…入力データ取得部、５６…プラント画面選択部、５７…プラント画面作成部、５８…変換部、５９…状態判定画面選択部、６０…状態判定条件画面作成部、６１…表示制御部、６２…状態判定テーブル、６３…日本語変換テーブル、６４…プラント画面情報記憶部、６５…状態判定条件画面情報記憶部、７０…情報処理装置、７１…パーソナルコンピュータ、７２…ＣＰＵ，７３…ＲＯＭ、７４…ＲＡＭ、７５…バス、７６…入出力インタフェース、７７…入力部、７８…出力部、７９…記憶部、８０…通信部、８１…ドライブ、８２…磁気ディスク、８３…光ディスク、８４…光磁気ディスク、８５…半導体メモリ、９１…データ蓄積部、９２…傾向判定部、９３…傾向判定テーブル、９４…傾向判定結果、９５…傾向判定条件画面情報、９６…傾向判定条件画面表示部、１０１…傾向判定部、１０２…傾向判定条件画面選択部、１０３…傾向判定条件画面作成部、１０４…プラントデータデータベース、１０５…傾向判定テーブル、１０６…景気押判定条件画面情報記憶部、１１１…状態・傾向・事象進展判定部、１１２…事象進展判定テーブル、１１３…事象進展判定結果、１１４…状態・傾向・事象進展状態判定条件画面情報、１１５…状態・傾向・事象進展判定条件表示部、１１６…事象進展判定部、１１７…状態・傾向判定条件画面選択部、１１８…状態・傾向判定条件画面作成部、１１９…事象進展判定テーブル、１２０…状態・傾向判定条件画面情報記憶部。
【図１】
2007328608.tif 000003
【図２】
2007328608.tif 000004
【図３】
2007328608.tif 000005
【図４】
2007328608.tif 000006
【図５】
2007328608.tif 000007
【図６】
2007328608.tif 000008
【図７】
2007328608.tif 000009
【図８】
2007328608.tif 000010
【図９】
2007328608.tif 000011
【図１０】
2007328608.tif 000012
【図１１】
2007328608.tif 000013
【図１２】
2007328608.tif 000014
【図１３】
2007328608.tif 000015
【図１４】
2007328608.tif 000016
【図１５】
2007328608.tif 000017
【図１６】
2007328608.tif 000018
【図１７】
2007328608.tif 000019
【図１８】
2007328608.tif 000020
【図１９】
2007328608.tif 000021
【図２０】
2007328608.tif 000022
【図２１】
2007328608.tif 000023
【図２２】
2007328608.tif 000024
【図２３】
2007328608.tif 000025
【図２４】
2007328608.tif 000026
【図２５】
2007328608.tif 000027
【図２６】
2007328608.tif 000028
【図２７】
2007328608.tif 000029
【図２８】
2007328608.tif 000030
【図２９】
2007328608.tif 000031
【図３０】
2007328608.tif 000032
【図３１】
2007328608.tif 000033